(57)【要約】【課題】  携帯電話機の機能の向上を図ることができ、かつ、ユーザにとって使い勝手のよい移動体搭乗者向けサービス提供システムを提供すること。【解決手段】  自動車等の移動体に搭乗しているユーザに対し、ナビゲーションサービスを含む各種サービスを提供する移動体搭乗者向けサービス提供システムを構成するにあたり、非接触ＩＣモジュール３０を内蔵した携帯電話機２０を保持する携帯電話機保持手段を設け、携帯電話機２０の非接触ＩＣモジュール３０のアンテナ３１とリーダ／ライタ６０のアンテナ６１とを所定の距離間隔に保った状態で携帯電話機２０を保持し、この状態で、非接触ＩＣによる通信機能を利用して携帯電話機２０とリーダ／ライタ６０側の機器との間でナビゲーション画面の表示に必要な移動体の現在位置情報等の送受信を行う。【選択図】  図１
2006275552.tif 000002
【特許請求の範囲】
【請求項１】
移動体を運転操作するユーザまたは同乗するユーザに対してナビゲーションサービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
前記移動体の現在位置情報を取得する現在位置情報取得手段と、
この現在位置情報取得手段により取得した前記現在位置情報を前記携帯電話機に供給する現在位置情報供給手段と、
この現在位置情報供給手段により供給された前記現在位置情報を前記携帯電話機内で記憶する現在位置情報記憶手段と、
この現在位置情報記憶手段に記憶された前記現在位置情報に基づき前記携帯電話機でナビゲーション画面を表示する処理を含むナビゲーションに関する処理を行うナビゲーション処理手段とを含んで構成され、
前記現在位置情報供給手段は、前記リーダ／ライタを用いて前記現在位置情報を前記非接触ＩＣモジュールのメモリに書き込む構成とされ、
前記携帯電話機保持手段は、前記非接触ＩＣモジュールのアンテナと前記リーダ／ライタのアンテナとを所定の距離間隔に保った状態で前記携帯電話機を保持する構成とされ、
前記ナビゲーション処理手段は、前記非接触ＩＣモジュールのメモリに書き込まれた前記現在位置情報を読み込んで前記ナビゲーション画面の表示処理を行う構成とされている
ことを特徴とする移動体搭乗者向けサービス提供システム。
【請求項２】
請求項１に記載の移動体搭乗者向けサービス提供システムにおいて、
前記現在位置情報供給手段は、一定の時間間隔で前記非接触ＩＣモジュールのメモリへの前記現在位置情報の書込みを行う構成とされ、
前記ナビゲーション処理手段は、前記現在位置情報供給手段による前記非接触ＩＣモジュールのメモリへの前記現在位置情報の書込みの時間間隔と同一の時間間隔で前記非接触ＩＣモジュールのメモリからの前記現在位置情報の読込みを行う構成とされ、
前記現在位置情報供給手段による前記非接触ＩＣモジュールのメモリへの前記現在位置情報の書込みのタイミングと、前記ナビゲーション処理手段による前記非接触ＩＣモジュールのメモリからの前記現在位置情報の読込みのタイミングとは、互いにずれている
ことを特徴とする移動体搭乗者向けサービス提供システム。
【請求項３】
請求項２に記載の移動体搭乗者向けサービス提供システムにおいて、
前記現在位置情報供給手段による前記非接触ＩＣモジュールのメモリへの前記現在位置情報の書込時に衝突によるエラーが出た場合に前記現在位置情報供給手段による書込みのタイミングをずらす処理と、
前記ナビゲーション処理手段による前記非接触ＩＣモジュールのメモリからの前記現在位置情報の読込時に衝突によるエラーが出た場合に前記ナビゲーション処理手段による読込みのタイミングをずらす処理とのうち、
少なくとも一方の処理が行われる構成とされていることを特徴とする移動体搭乗者向けサービス提供システム。
【請求項４】
移動体を運転操作するユーザまたは同乗するユーザに対してコンテンツ呈示サービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
前記移動体に設置されて複数のコンテンツ並びにこれらの各コンテンツの利用料情報または利用料の算出に必要な利用料算出用情報を予め記憶するコンテンツ記憶手段と、
このコンテンツ記憶手段に記憶された前記コンテンツを前記ユーザに呈示するための出力を行うコンテンツ呈示手段と、
前記コンテンツを利用するために予め購入してチャージされた電子マネーの残高情報または残高の算出に必要な残高算出用情報を前記携帯電話機内で記憶する電子マネー情報記憶手段と、
前記ユーザによる利用対象とするコンテンツまたはコンテンツ群の選択入力を受け付ける選択入力受付手段と、
この選択入力受付手段により受け付けた前記ユーザの利用対象のコンテンツまたはコンテンツ群についての前記利用料情報または前記利用料算出用情報を前記携帯電話機に送信する選択コンテンツ情報送信手段と、
この選択コンテンツ情報送信手段により送信されてきた前記利用料情報または前記利用料算出用情報を前記携帯電話機内で記憶する選択コンテンツ情報記憶手段と、
この選択コンテンツ情報記憶手段に記憶された前記利用料情報または前記利用料算出用情報と前記電子マネー情報記憶手段に記憶された前記残高情報または前記残高算出用情報とに基づき、選択されたコンテンツまたはコンテンツ群を利用するのに前記電子マネーの残高が足りるか否かを前記携帯電話機内で判断する利用可否判断手段と、
この利用可否判断手段による判断結果を前記携帯電話機内で記憶する判断結果記憶手段と、
この判断結果記憶手段に記憶された前記判断結果を前記携帯電話機から取得して前記コンテンツ呈示手段に送信する判断結果伝達手段と、
前記利用可否判断手段による判断結果が選択コンテンツ利用可能という判断結果となった場合に、選択されたコンテンツまたはコンテンツ群についての利用料に応じて前記電子マネー情報記憶手段に記憶された前記残高情報または前記残高算出用情報を更新する課金処理を前記携帯電話機内で行う課金処理手段とを備え、
前記電子マネー情報記憶手段、前記選択コンテンツ情報記憶手段、および前記判断結果記憶手段は、前記携帯電話機に内蔵された前記非接触ＩＣモジュールのメモリにより構成され、
前記携帯電話機保持手段は、前記非接触ＩＣモジュールのアンテナと前記リーダ／ライタのアンテナとを所定の距離間隔に保った状態で前記携帯電話機を保持する構成とされ、
前記選択コンテンツ情報送信手段は、前記リーダ／ライタを用いて前記利用料情報または前記利用料算出用情報を前記非接触ＩＣモジュールのメモリに書き込む構成とされ、
前記判断結果伝達手段は、前記リーダ／ライタを用いて前記判断結果を前記非接触ＩＣモジュールのメモリから読み取る構成とされ、
前記コンテンツ呈示手段は、前記判断結果伝達手段から選択コンテンツ利用可能という判断結果を受信した場合に、選択されたコンテンツまたはコンテンツ群を前記ユーザに呈示するための出力を行う構成とされている
ことを特徴とする移動体搭乗者向けサービス提供システム。
【請求項５】
移動体を運転操作するユーザまたは同乗するユーザに対してコンテンツ呈示サービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
前記移動体に設置されて複数のコンテンツ並びにこれらの各コンテンツの利用料情報または利用料の算出に必要な利用料算出用情報を予め記憶するコンテンツ記憶手段と、
このコンテンツ記憶手段に記憶された前記コンテンツを前記ユーザに呈示するための出力を行うコンテンツ呈示手段と、
前記コンテンツを利用するために予め購入してチャージされた電子マネーの残高情報または残高の算出に必要な残高算出用情報を前記携帯電話機内で記憶する電子マネー情報記憶手段と、
前記ユーザによる利用対象とするコンテンツまたはコンテンツ群の選択入力を受け付ける選択入力受付手段と、
前記電子マネー情報記憶手段に記憶された前記残高情報または前記残高算出用情報を前記携帯電話機から取得する電子マネー情報取得手段と、
前記選択入力受付手段により受け付けた前記ユーザの利用対象のコンテンツまたはコンテンツ群についての前記利用料情報または前記利用料算出用情報と前記電子マネー情報取得手段により取得した前記残高情報または前記残高算出用情報とに基づき、選択されたコンテンツまたはコンテンツ群を利用するのに前記電子マネーの残高が足りるか否かを判断してこの判断結果を前記コンテンツ呈示手段に送信する利用可否判断手段と、
この利用可否判断手段による判断結果が選択コンテンツ利用可能という判断結果となった場合に、選択されたコンテンツまたはコンテンツ群についての利用料に応じて前記電子マネー情報記憶手段に記憶された前記残高情報または前記残高算出用情報を更新する課金処理を行う課金処理手段とを備え、
前記電子マネー情報記憶手段は、前記携帯電話機に内蔵された前記非接触ＩＣモジュールのメモリにより構成され、
前記携帯電話機保持手段は、前記非接触ＩＣモジュールのアンテナと前記リーダ／ライタのアンテナとを所定の距離間隔に保った状態で前記携帯電話機を保持する構成とされ、
前記電子マネー情報取得手段は、前記リーダ／ライタを用いて前記残高情報または前記残高算出用情報を前記非接触ＩＣモジュールのメモリから読み取る構成とされ、
前記課金処理手段は、前記リーダ／ライタを用いて課金処理に必要な情報を前記非接触ＩＣモジュールのメモリに書き込む構成とされ、
前記コンテンツ呈示手段は、前記利用可否判断手段から選択コンテンツ利用可能という判断結果を受信した場合に、選択されたコンテンツまたはコンテンツ群を前記ユーザに呈示するための出力を行う構成とされている
ことを特徴とする移動体搭乗者向けサービス提供システム。
【請求項６】
移動体を運転操作するユーザまたは同乗するユーザに対してコンテンツ呈示サービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
前記移動体に設置されて複数のコンテンツを予め記憶するコンテンツ記憶手段と、
このコンテンツ記憶手段に記憶された前記コンテンツを前記ユーザに呈示するための出力を行うコンテンツ呈示手段と、
前記コンテンツを利用するために予め購入された解除キーを前記携帯電話機内で記憶する解除キー記憶手段と、
この解除キー記憶手段に記憶された前記解除キーを前記携帯電話機から取得して前記コンテンツ呈示手段に送信する解除キー取得手段とを備え、
前記解除キー記憶手段は、前記携帯電話機に内蔵された前記非接触ＩＣモジュールのメモリにより構成され、
前記携帯電話機保持手段は、前記非接触ＩＣモジュールのアンテナと前記リーダ／ライタのアンテナとを所定の距離間隔に保った状態で前記携帯電話機を保持する構成とされ、
前記解除キー取得手段は、前記リーダ／ライタを用いて前記解除キーを前記非接触ＩＣモジュールのメモリから読み取る構成とされ、
前記コンテンツ呈示手段は、前記ユーザによるコンテンツまたはコンテンツ群の利用要求に対し、この利用要求に係るコンテンツまたはコンテンツ群が前記解除キー取得手段から受信した前記解除キーに対応するコンテンツまたはコンテンツ群である場合に、利用要求に係るコンテンツまたはコンテンツ群を前記ユーザに呈示するための出力を行う構成とされている
ことを特徴とする移動体搭乗者向けサービス提供システム。
【請求項７】
移動体を運転操作するユーザまたは同乗するユーザに対してコンテンツ呈示サービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
前記移動体に設置されて複数のコンテンツおよびこれらの各コンテンツを識別するコンテンツ識別情報を予め記憶するコンテンツ記憶手段と、
このコンテンツ記憶手段に記憶された前記コンテンツを前記ユーザに呈示するための出力を行うコンテンツ呈示手段と、
前記コンテンツを利用するために予め購入された解除キーおよびこの解除キーに対応するコンテンツまたはコンテンツ群を識別するコンテンツ識別情報を前記携帯電話機内で記憶する解除キー記憶手段と、
前記ユーザによる利用対象とするコンテンツまたはコンテンツ群の選択入力を受け付ける選択入力受付手段と、
この選択入力受付手段により受け付けた前記ユーザの利用対象のコンテンツまたはコンテンツ群についてのコンテンツ識別情報をキーとして、前記解除キー記憶手段に記憶された前記解除キーの中に、前記ユーザの利用対象のコンテンツまたはコンテンツ群に対応する解除キーが存在するか否かを検索し、検索して得られた前記解除キーを前記コンテンツ呈示手段に送信する解除キー検索手段とを備え、
前記解除キー記憶手段は、前記携帯電話機に内蔵された前記非接触ＩＣモジュールのメモリにより構成され、
前記携帯電話機保持手段は、前記非接触ＩＣモジュールのアンテナと前記リーダ／ライタのアンテナとを所定の距離間隔に保った状態で前記携帯電話機を保持する構成とされ、
前記解除キー検索手段は、前記リーダ／ライタを用いて前記解除キーおよび前記コンテンツ識別情報を前記非接触ＩＣモジュールのメモリから読み取る構成とされ、
前記コンテンツ呈示手段は、前記解除キー検索手段から前記解除キーを受信した場合に、前記ユーザにより利用対象として選択されたコンテンツまたはコンテンツ群を前記ユーザに呈示するための出力を行う構成とされている
ことを特徴とする移動体搭乗者向けサービス提供システム。
【請求項８】
移動体を運転操作するユーザまたは同乗するユーザに対してコンテンツ呈示サービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
前記移動体に設置されて複数のコンテンツおよびこれらの各コンテンツを識別するコンテンツ識別情報を予め記憶するコンテンツ記憶手段と、
このコンテンツ記憶手段に記憶された前記コンテンツを前記ユーザに呈示するための出力を行うコンテンツ呈示手段と、
前記コンテンツを利用するために予め購入された解除キーおよびこの解除キーに対応するコンテンツまたはコンテンツ群を識別するコンテンツ識別情報を前記携帯電話機内で記憶する購入解除キー記憶手段と、
前記ユーザによる利用対象とするコンテンツまたはコンテンツ群の選択入力を受け付ける選択入力受付手段と、
この選択入力受付手段により受け付けた前記ユーザの利用対象のコンテンツまたはコンテンツ群についての前記コンテンツ識別情報を前記携帯電話機に送信する選択コンテンツ情報送信手段と、
この選択コンテンツ情報送信手段から受信した前記コンテンツ識別情報を前記携帯電話機内で記憶する選択コンテンツ情報記憶手段と、
この選択コンテンツ記憶手段に記憶された前記コンテンツ識別情報をキーとして、前記購入解除キー記憶手段に記憶された前記解除キーの中に、前記ユーザの利用対象のコンテンツまたはコンテンツ群に対応する解除キーが存在するか否かを検索する解除キー検索手段と、
この解除キー検索手段により検索して得られた前記解除キーを前記携帯電話機内で記憶する利用解除キー記憶手段と、
この利用解除キー記憶手段に記憶された前記解除キーを前記携帯電話機から取得し、取得した前記解除キーを前記コンテンツ呈示手段に送信する解除キー取得手段とを備え、
前記購入解除キー記憶手段は、前記携帯電話機に内蔵された前記非接触ＩＣモジュールのメモリまたは前記携帯電話機に内蔵された他のメモリにより構成され、
前記利用解除キー記憶手段および前記選択コンテンツ情報記憶手段は、前記携帯電話機に内蔵された前記非接触ＩＣモジュールのメモリにより構成され、
前記携帯電話機保持手段は、前記非接触ＩＣモジュールのアンテナと前記リーダ／ライタのアンテナとを所定の距離間隔に保った状態で前記携帯電話機を保持する構成とされ、
前記選択コンテンツ情報送信手段は、前記リーダ／ライタを用いて前記コンテンツ識別情報を前記非接触ＩＣモジュールのメモリに書き込む構成とされ、
前記解除キー取得手段は、前記リーダ／ライタを用いて前記解除キーを前記非接触ＩＣモジュールのメモリから読み取る構成とされ、
前記コンテンツ呈示手段は、前記解除キー取得手段から前記解除キーを受信した場合に、前記ユーザにより利用対象として選択されたコンテンツまたはコンテンツ群を前記ユーザに呈示するための出力を行う構成とされている
ことを特徴とする移動体搭乗者向けサービス提供システム。
【請求項９】
移動体を運転操作するユーザまたは同乗するユーザに対して有料道路またはこれに類する設備の自動料金収受サービスを含むサービスを提供するための移動体搭乗者向けサービス提供システムであって、
アンテナおよびメモリを含んで構成された非接触ＩＣモジュールを内蔵して前記移動体とともに移動する携帯電話機を保持する携帯電話機保持手段と、
前記非接触ＩＣモジュールのメモリからの情報の読取りおよびこのメモリへの情報の書込みを非接触で行うリーダ／ライタと、
料金所に設けられた路側アンテナとの間で料金収受に必要なＥＴＣ情報の送受信を行うＥＴＣアンテナおよびＥＴＣチューナと、
このＥＴＣチューナとの間で前記ＥＴＣ情報の受渡しを行うとともに前記携帯電話機との間で前記ＥＴＣ情報の送受信を行う料金収受処理手段とを備え、
前記料金収受処理手段は、前記リーダ／ライタを用いて前記ＥＴＣ情報について前記非接触ＩＣモジュールのメモリからの読込みおよび／または前記非接触ＩＣモジュールのメモリへの書込みを行う構成とされている
ことを特徴とする移動体搭乗者向けサービス提供システム。
【発明の詳細な説明】
【技術分野】
【０００１】
本発明は、移動体を運転操作するユーザまたは同乗するユーザに対して各種のサービスを提供するための移動体搭乗者向けサービス提供システムに係り、例えば、自動車や自転車等を誘導するナビゲーションサービス、音楽や映像等の各種コンテンツを呈示するコンテンツ呈示サービス、有料道路またはこれに類する設備の自動料金収受サービス、あるいはこれらのサービスを含む複合的なサービスを行うシステムに利用できる。
【背景技術】
【０００２】
従来より、全地球測位システム（ＧＰＳ：Global Positioning System）を用いたカーナビゲーションシステムが普及している。近年では、携帯電話機の機能の向上に伴い、携帯電話機を用いたカーナビゲーションシステムも提案されている（特許文献１〜３参照）。
【０００３】
また、ＥＴＣシステム（Electronic Toll Collection System：ノンストップ自動料金収受システム）と携帯電話機とを組み合わせたシステムも提案されている（特許文献４〜６）。
【０００４】
一方、最近、非接触ＩＣを搭載した携帯電話機が開発され、この携帯電話機を各種のサービスを提供する装置のリーダ／ライタにかざして情報の送受信を行うことにより、携帯電話機を財布、チケット、定期券等の代わりに用いるという状況が一般化しつつある。そして、このような非接触ＩＣを搭載した携帯電話機は、利用者が手に持ちながら使用する場合が多いといえる。これに対し、携帯電話機を固定した状態で非接触で情報の送受信を行うシステムとしては、例えば、携帯電話機ホルダにセットされた携帯電話機の識別情報を読み取る遊技情報管理システム（特許文献７参照）、近接非接触通信用のアンテナが設けられた携帯電話機と通信の相手方となる近接非接触通信カードとを充電台に静置して通信を行う近接非接触通信システム（特許文献８参照）等があり、また、携帯電話機を固定した状態で非接触で充電を行うシステム（特許文献９参照）もある。
【０００５】
【特許文献１】特開２００１−２６４０９６号公報（段落［０００５］、［０００６］、［００１９］〜［００２１］、図１、要約）
【特許文献２】特開２００２−１６８６４５号公報（段落［０００７］、［００３１］、図１、要約）
【特許文献３】特開２００１−２４９０２６号公報（段落［０００５］〜［０００７］、［００１５］、［００２７］、［００３９］、［００４１］〜［００４６］、図１、図５、要約）
【特許文献４】特開２００４−２８８０９９号公報（要約、図１）
【特許文献５】特開２００３−２５６８９６号公報（要約、図１）
【特許文献６】特開２００１−２５６５２５号公報（要約、図１）
【特許文献７】特開２００３−１０５１９号公報（段落［００３３］、図２、図４）
【特許文献８】特開２００５−２０１６１号公報（段落［００２３］、図１〜図１０）
【特許文献９】特開２００１−１４４３３号公報（段落［００５７］、［００５８］、図１２）
【発明の開示】
【発明が解決しようとする課題】
【０００６】
ところで、前述したように、携帯電話機を用いてカーナビゲーションシステムやＥＴＣシステム等の車載システムを実現しようとする場合には、携帯電話機とその他の車載機器（ＧＰＳチューナやＥＴＣチューナ等の機器）との間で通信を行う必要がある。
【０００７】
この際、ユーザが非接触ＩＣを搭載した携帯電話機を所持している場合には、この非接触ＩＣによる通信機能を利用して携帯電話機とその他の車載機器との通信を実現し、カーナビゲーションや有料道路の自動料金収受を行うことができれば、携帯電話機の既存の機能を利用して車載システムの使い勝手を向上させることができるので便利である。また、従来から行われているコネクタによる接続と併用すれば、さらに車内に持ち込まれた携帯電話機の多機能化を図ることも可能となる。
【０００８】
しかし、運転操作に従事する者が非接触ＩＣを搭載した携帯電話機を所持していたとしても、携帯電話機をリーダ／ライタにかざす行為を長時間続けることは困難であり、また、運転中のユーザが携帯電話機をリーダ／ライタにかざす行為を行うことも安全性等の観点から不適切であるため、携帯電話機に搭載された非接触ＩＣによる通信機能を利用してカーナビゲーションシステムやＥＴＣシステム等のような車載システムを実現するためには、携帯電話機を通信の相手方であるリーダ／ライタに対して固定する必要が生じる。
【０００９】
一方、前述した特許文献７に記載された遊技情報管理システム等のように、携帯電話機を固定した状態で非接触通信を行うシステムも存在する。しかし、自動車内では、運転操作に従事する者が非接触ＩＣを搭載した携帯電話機を所持していたとしても、その携帯電話機の近接非接触通信の機能を利用することは、自動車内であるという制約を受けて用途が限定されることと、安全性の面から、これまで、あまり想定されなかった。このため、カーナビゲーションシステム、ＥＴＣシステム、カーオーディオシステム等のような車載システムについては、携帯電話機を固定した状態で近接非接触通信を行うことを想定したシステムは未だ開発されていないのが実情である。
【００１０】
従って、非接触ＩＣを搭載した携帯電話機の近接非接触通信の機能を活かし、携帯電話機の機能の向上を図ることができるとともに、ユーザにとって使い勝手のよい車載システムを実現することが望まれる。
【００１１】
なお、以上のことは、自動車のみならず、オートバイや自転車等のその他の移動体についても同様にいえることであり、また、カーナビゲーション、ＥＴＣ、カーオーディオのみならず、映像、画像、音楽、講義・講演録、マニュアル等の各種のコンテンツを呈示するコンテンツ呈示サービス全般についても同様にいえることである。
【００１２】
本発明の目的は、携帯電話機の機能の向上を図ることができ、かつ、ユーザにとって使い勝手のよい移動体搭乗者向けサービス提供システムを提供するところにある。
【課題を解決するための手段】
【００１３】
本発明は、移動体を運転操作するユーザまたは同乗するユーザに対してナビゲーションサービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、移動体の現在位置情報を取得する現在位置情報取得手段と、この現在位置情報取得手段により取得した現在位置情報を携帯電話機に供給する現在位置情報供給手段と、この現在位置情報供給手段により供給された現在位置情報を携帯電話機内で記憶する現在位置情報記憶手段と、この現在位置情報記憶手段に記憶された現在位置情報に基づき携帯電話機でナビゲーション画面を表示する処理を含むナビゲーションに関する処理を行うナビゲーション処理手段とを含んで構成され、現在位置情報供給手段は、リーダ／ライタを用いて現在位置情報を非接触ＩＣモジュールのメモリに書き込む構成とされ、携帯電話機保持手段は、非接触ＩＣモジュールのアンテナとリーダ／ライタのアンテナとを所定の距離間隔に保った状態で携帯電話機を保持する構成とされ、ナビゲーション処理手段は、非接触ＩＣモジュールのメモリに書き込まれた現在位置情報を読み込んでナビゲーション画面の表示処理を行う構成とされていることを特徴とするものである。
【００１４】
ここで、「移動体」とは、主として自動車であるが、その他に、例えば、オートバイ、自転車等も含まれ、また、陸上の移動体に限らず、船舶や航空機も含まれる。以下の発明においても同様である。
【００１５】
また、「携帯電話機」には、パーソナル・ハンディフォーン・システム（ＰＨＳ）も含まれる。以下の発明においても同様である。
【００１６】
さらに、「携帯電話機保持手段」は、携帯電話機とリーダ／ライタとの相対姿勢を一定の状態に保持することができればよく、必ずしも移動体自体に固定される必要はなく、例えば、移動体内の座席の上に置いてもよい。但し、機器の性能を十分に発揮させるという観点や、機器の破損防止等の観点から、移動体自体に固定しておくことが好ましい。以下の発明においても同様である。
【００１７】
そして、「現在位置情報取得手段」とは、例えば、ＧＰＳやＤ−ＧＰＳ（Differential ＧＰＳ）による測位システム等である。
【００１８】
また、「ナビゲーション画面を表示する処理を含むナビゲーションに関する処理」とは、ナビゲーション処理手段が、ナビゲーション画面の表示処理の他に、例えば、通信網を介してナビゲーションセンタ装置との通信を行い、ナビゲーションセンタ装置から経路データを取得する処理等を行ってもよい趣旨である。
【００１９】
このような本発明においては、携帯電話機保持手段により、非接触ＩＣモジュールを内蔵した携帯電話機をリーダ／ライタに対して一定の状態に保持しておき、現在位置情報取得手段により、移動体の現在位置情報を取得し、現在位置情報供給手段により、取得した現在位置情報をリーダ／ライタを用いて携帯電話機の非接触ＩＣモジュールのメモリからなる現在位置情報記憶手段に書き込み、ナビゲーション処理手段により、現在位置情報記憶手段に記憶された現在位置情報を読み込んでナビゲーション画面を表示する。
【００２０】
従って、携帯電話機の非接触ＩＣモジュールのアンテナと、リーダ／ライタのアンテナとが、所定の距離間隔に保たれた状態で保持されるので、携帯電話機への現在位置情報の継続的な供給が実現されるとともに、次々に供給されてくる最新の現在位置情報を用いて携帯電話機でナビゲーション画面の表示を行うことが可能となる。
【００２１】
このため、ユーザが非接触ＩＣを搭載した携帯電話機を所持している場合には、その非接触ＩＣによる通信機能、すなわち携帯電話機の既存の機能を利用してナビゲーションシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００２２】
また、前述した移動体搭乗者向けサービス提供システムにおいて、現在位置情報供給手段は、一定の時間間隔で非接触ＩＣモジュールのメモリへの現在位置情報の書込みを行う構成とされ、ナビゲーション処理手段は、現在位置情報供給手段による非接触ＩＣモジュールのメモリへの現在位置情報の書込みの時間間隔と同一の時間間隔で非接触ＩＣモジュールのメモリからの現在位置情報の読込みを行う構成とされ、現在位置情報供給手段による非接触ＩＣモジュールのメモリへの現在位置情報の書込みのタイミングと、ナビゲーション処理手段による非接触ＩＣモジュールのメモリからの現在位置情報の読込みのタイミングとは、互いにずれていることが望ましい。
【００２３】
このように現在位置情報のメモリへの書込みとメモリからの読込みの時間間隔を同じにし、かつ、書込みと読込みのタイミングをずらす構成とした場合には、現在位置情報の受渡しが円滑に行われ、ナビゲーション画面の安定かつ継続的な表示を行うことが可能となる。
【００２４】
さらに、上述したように現在位置情報のメモリへの書込みとメモリからの読込みの時間間隔を同じにし、かつ、書込みと読込みのタイミングをずらす構成とした場合において、現在位置情報供給手段による非接触ＩＣモジュールのメモリへの現在位置情報の書込時に衝突によるエラーが出た場合に現在位置情報供給手段による書込みのタイミングをずらす処理と、ナビゲーション処理手段による非接触ＩＣモジュールのメモリからの現在位置情報の読込時に衝突によるエラーが出た場合にナビゲーション処理手段による読込みのタイミングをずらす処理とのうち、少なくとも一方の処理が行われる構成とされていることが望ましい。
【００２５】
このように書込時や読込時に衝突によるエラーが出た場合に書込みや読込みのタイミングをずらす処理を行う構成とした場合には、一度、エラーが出ても、書込みや読込みのタイミングの修正後には、書込みや読込みを行うことができるようになり、ナビゲーション画面の安定かつ継続的な表示を行うことが可能となる。
【００２６】
以上においては、ナビゲーションサービスを行うシステムについて述べたが、以下では、コンテンツ呈示サービスを行うシステムについて述べる。
【００２７】
コンテンツ呈示サービスを行うシステムとしては、コンテンツを利用した分だけ課金するシステムと、解除キーを購入したコンテンツを利用できるシステムとがある。さらに、前者の場合は、携帯電話機内のプロセッサで実行されるプログラムにより利用可否の判断および課金処理を行うシステム（例えば、図５の場合等）と、リーダ／ライタ側のプロセッサで実行されるプログラムにより利用可否の判断および課金処理を行うシステム（例えば、図７の場合等）とがある。後者の場合は、購入した解除キーを利用対象コンテンツの選択入力受付前に予め携帯電話機から読み取っておくシステム（例えば、図８の場合等）と、利用対象コンテンツの選択入力受付後にリーダ／ライタ側のプロセッサで実行されるプログラムにより解除キーを検索するシステム（例えば、図９の場合等）と、利用対象コンテンツの選択入力受付後に携帯電話機内のプロセッサで実行されるプログラムにより解除キーを検索するシステム（例えば、図１０の場合等）とがある。
【００２８】
このうち、コンテンツを利用した分だけ課金するシステムであって、携帯電話機内のプロセッサで実行されるプログラムにより利用可否の判断および課金処理を行うシステム（例えば、図５の場合等）は、次のような構成となる。すなわち、本発明は、移動体を運転操作するユーザまたは同乗するユーザに対してコンテンツ呈示サービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、移動体に設置されて複数のコンテンツ並びにこれらの各コンテンツの利用料情報または利用料の算出に必要な利用料算出用情報を予め記憶するコンテンツ記憶手段と、このコンテンツ記憶手段に記憶されたコンテンツをユーザに呈示するための出力を行うコンテンツ呈示手段と、コンテンツを利用するために予め購入してチャージされた電子マネーの残高情報または残高の算出に必要な残高算出用情報を携帯電話機内で記憶する電子マネー情報記憶手段と、ユーザによる利用対象とするコンテンツまたはコンテンツ群の選択入力を受け付ける選択入力受付手段と、この選択入力受付手段により受け付けたユーザの利用対象のコンテンツまたはコンテンツ群についての利用料情報または利用料算出用情報を携帯電話機に送信する選択コンテンツ情報送信手段と、この選択コンテンツ情報送信手段により送信されてきた利用料情報または利用料算出用情報を携帯電話機内で記憶する選択コンテンツ情報記憶手段と、この選択コンテンツ情報記憶手段に記憶された利用料情報または利用料算出用情報と電子マネー情報記憶手段に記憶された残高情報または残高算出用情報とに基づき、選択されたコンテンツまたはコンテンツ群を利用するのに電子マネーの残高が足りるか否かを携帯電話機内で判断する利用可否判断手段と、この利用可否判断手段による判断結果を携帯電話機内で記憶する判断結果記憶手段と、この判断結果記憶手段に記憶された判断結果を携帯電話機から取得してコンテンツ呈示手段に送信する判断結果伝達手段と、利用可否判断手段による判断結果が選択コンテンツ利用可能という判断結果となった場合に、選択されたコンテンツまたはコンテンツ群についての利用料に応じて電子マネー情報記憶手段に記憶された残高情報または残高算出用情報を更新する課金処理を携帯電話機内で行う課金処理手段とを備え、電子マネー情報記憶手段、選択コンテンツ情報記憶手段、および判断結果記憶手段は、携帯電話機に内蔵された非接触ＩＣモジュールのメモリにより構成され、携帯電話機保持手段は、非接触ＩＣモジュールのアンテナとリーダ／ライタのアンテナとを所定の距離間隔に保った状態で携帯電話機を保持する構成とされ、選択コンテンツ情報送信手段は、リーダ／ライタを用いて利用料情報または利用料算出用情報を非接触ＩＣモジュールのメモリに書き込む構成とされ、判断結果伝達手段は、リーダ／ライタを用いて判断結果を非接触ＩＣモジュールのメモリから読み取る構成とされ、コンテンツ呈示手段は、判断結果伝達手段から選択コンテンツ利用可能という判断結果を受信した場合に、選択されたコンテンツまたはコンテンツ群をユーザに呈示するための出力を行う構成とされていることを特徴とするものである。
【００２９】
ここで、「コンテンツ」には、例えば、映像、画像、音楽、講義・講演録、マニュアル等の各種のものが含まれ、コンテンツの「利用」とは、コンテンツが地図等の静止画像やビデオ等の動画像のような画像情報あるいは文字情報である場合には、見ることであり、コンテンツが音楽や講義・講演録等の音情報の場合には、聞くことである。以下の発明においても同様である。
【００３０】
また、「利用料情報」とは、例えば、２００円、２ドル等の金額情報そのもの（但し、ポイント数やグレード情報等の代替情報でもよい。）であり、「利用料の算出に必要な利用料算出用情報」とは、例えば、１コンテンツの利用料が定額である場合には、利用対象とするコンテンツ数や、利用対象とするコンテンツを識別するためのコンテンツ識別情報（コンテンツ番号等）等である。より具体的には、例えば、１コンテンツの利用料が２００円で定額であるときに、ユーザが利用対象として３個のコンテンツを一括選択した場合には、利用料は２００円×３＝６００円となる。また、例えば、レコード会社Ａの音楽が１曲につき１５０円で、レコード会社Ｂの音楽が１曲につき２００円であるときに、ユーザがＡ−４０２７というコンテンツ識別情報（レコード会社Ａの４０２７番目の曲という意味）の曲を利用対象として選択した場合には、利用料は１５０円となり、ユーザがＢ−６８７というコンテンツ識別情報（レコード会社Ｂの６８７番目の曲という意味）の曲を利用対象として選択した場合には、利用料は２００円となる。なお、このようにコンテンツ記憶手段に複数のコンテンツ制作者（レコード会社等）のコンテンツが含まれている場合に、選択されたコンテンツの制作者を判別することができるようにしておけば、複数のコンテンツ制作者による利用料の分配（収入の分配）を行うことも可能となる。以下の発明においても同様である。
【００３１】
さらに、「コンテンツ群」とは、複数のコンテンツを１つ１つ個別に選択できる場合において、ユーザが複数のコンテンツを一括選択したときのそれらの複数のコンテンツでもよく、あるいはユーザによる選択の単位がそもそも複数のコンテンツからなるコンテンツ群となっている場合（例えば、複数の曲が入っているレコード単位となっている場合）において、ユーザが選択したコンテンツ群でもよい。以下の発明においても同様である。
【００３２】
そして、「残高情報」とは、購入した電子マネーのうち使用されていない残りの金額そのもの（但し、ポイント数等の代替情報でもよい。）であり、「残高の算出に必要な残高算出用情報」とは、例えば、購入した電子マネーの元の金額と使用金額合計（コンテンツの利用料の合計）との組み合わせ、あるいは購入した電子マネーの元の金額と利用コンテンツ数との組み合わせ等である。以下の発明においても同様である。
【００３３】
また、「コンテンツ呈示手段」による「出力」は、例えば、音楽や講義・講演録等の音の再生、ビデオ映像の再生、地図等の画像の表示、あるいはこれらの組み合わせ等である。以下の発明においても同様である。
【００３４】
このような本発明（例えば、図５の場合等）においては、携帯電話機保持手段により、非接触ＩＣモジュールを内蔵した携帯電話機をリーダ／ライタに対して一定の状態に保持しておくとともに、コンテンツ記憶手段に複数のコンテンツ並びにそれらの利用料情報または利用料算出用情報（以下、利用料情報等という。）を予め記憶させておき、さらに、ユーザが購入した電子マネーの残高情報または残高算出用情報（以下、残高情報等という。）を、携帯電話機の非接触ＩＣモジュールのメモリからなる電子マネー情報記憶手段に記憶させておく。そして、選択入力受付手段により、ユーザ選択を受け付け、選択コンテンツ情報送信手段により、選択されたコンテンツまたはコンテンツ群についての利用料情報等を、リーダ／ライタを用いて携帯電話機の非接触ＩＣモジュールのメモリからなる選択コンテンツ情報記憶手段に書き込み、利用可否判断手段により、選択コンテンツ情報記憶手段に記憶された利用料情報等と電子マネー情報記憶手段に記憶された残高情報等とに基づきコンテンツを利用するために必要な残高があるか否かを判断し、その判断結果を携帯電話機の非接触ＩＣモジュールのメモリからなる判断結果記憶手段に書き込み、判断結果伝達手段により、判断結果をリーダ／ライタを用いて携帯電話機から読み取り、この判断結果がコンテンツ利用可能という結果であった場合に、コンテンツ呈示手段によりコンテンツ呈示のための出力を行う。また、コンテンツ利用可能という結果であった場合には、課金処理手段により、電子マネー情報記憶手段に記憶された残高情報等を更新する処理を行う。
【００３５】
従って、携帯電話機の非接触ＩＣモジュールのアンテナと、リーダ／ライタのアンテナとが、所定の距離間隔に保たれた状態で保持されるので、携帯電話機への利用料情報等の送信および携帯電話機からの利用可否の判断結果の取得が可能となる。
【００３６】
このため、ユーザが非接触ＩＣを搭載した携帯電話機を所持している場合には、その非接触ＩＣによる通信機能、すなわち携帯電話機の既存の機能を利用してコンテンツ呈示サービスを行うシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００３７】
また、前述したコンテンツ呈示サービスを行う各種のシステムのうち、コンテンツを利用した分だけ課金するシステムであって、リーダ／ライタ側のプロセッサで実行されるプログラムにより利用可否の判断および課金処理を行うシステム（例えば、図７の場合等）は、次のような構成となる。すなわち、本発明は、移動体を運転操作するユーザまたは同乗するユーザに対してコンテンツ呈示サービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、移動体に設置されて複数のコンテンツ並びにこれらの各コンテンツの利用料情報または利用料の算出に必要な利用料算出用情報を予め記憶するコンテンツ記憶手段と、このコンテンツ記憶手段に記憶されたコンテンツをユーザに呈示するための出力を行うコンテンツ呈示手段と、コンテンツを利用するために予め購入してチャージされた電子マネーの残高情報または残高の算出に必要な残高算出用情報を携帯電話機内で記憶する電子マネー情報記憶手段と、ユーザによる利用対象とするコンテンツまたはコンテンツ群の選択入力を受け付ける選択入力受付手段と、電子マネー情報記憶手段に記憶された残高情報または残高算出用情報を携帯電話機から取得する電子マネー情報取得手段と、選択入力受付手段により受け付けたユーザの利用対象のコンテンツまたはコンテンツ群についての利用料情報または利用料算出用情報と電子マネー情報取得手段により取得した残高情報または残高算出用情報とに基づき、選択されたコンテンツまたはコンテンツ群を利用するのに電子マネーの残高が足りるか否かを判断してこの判断結果をコンテンツ呈示手段に送信する利用可否判断手段と、この利用可否判断手段による判断結果が選択コンテンツ利用可能という判断結果となった場合に、選択されたコンテンツまたはコンテンツ群についての利用料に応じて電子マネー情報記憶手段に記憶された残高情報または残高算出用情報を更新する課金処理を行う課金処理手段とを備え、電子マネー情報記憶手段は、携帯電話機に内蔵された非接触ＩＣモジュールのメモリにより構成され、携帯電話機保持手段は、非接触ＩＣモジュールのアンテナとリーダ／ライタのアンテナとを所定の距離間隔に保った状態で携帯電話機を保持する構成とされ、電子マネー情報取得手段は、リーダ／ライタを用いて残高情報または残高算出用情報を非接触ＩＣモジュールのメモリから読み取る構成とされ、課金処理手段は、リーダ／ライタを用いて課金処理に必要な情報を非接触ＩＣモジュールのメモリに書き込む構成とされ、コンテンツ呈示手段は、利用可否判断手段から選択コンテンツ利用可能という判断結果を受信した場合に、選択されたコンテンツまたはコンテンツ群をユーザに呈示するための出力を行う構成とされていることを特徴とするものである。
【００３８】
このような本発明（例えば、図７の場合等）においては、携帯電話機保持手段により、非接触ＩＣモジュールを内蔵した携帯電話機をリーダ／ライタに対して一定の状態に保持しておくとともに、コンテンツ記憶手段に複数のコンテンツおよびそれらの利用料情報等を予め記憶させておき、さらに、ユーザが購入した電子マネーの残高情報等を、携帯電話機の非接触ＩＣモジュールのメモリからなる電子マネー情報記憶手段に記憶させておく。そして、選択入力受付手段により、ユーザ選択を受け付け、電子マネー情報取得手段により、リーダ／ライタを用いて携帯電話機の電子マネー情報記憶手段から残高情報等を取得し、利用可否判断手段により、選択入力受付手段により利用対象として受け付けたコンテンツまたはコンテンツ群の利用料情報等と電子マネー情報記憶手段から取得した残高情報等とに基づきコンテンツを利用するために必要な残高があるか否かを判断し、その判断結果がコンテンツ利用可能という結果であった場合に、コンテンツ呈示手段によりコンテンツ呈示のための出力を行う。また、コンテンツ利用可能という結果であった場合には、課金処理手段により、リーダ／ライタを用いて携帯電話機の電子マネー情報記憶手段に記憶された残高情報等を更新する処理を行う。
【００３９】
従って、携帯電話機の非接触ＩＣモジュールのアンテナと、リーダ／ライタのアンテナとが、所定の距離間隔に保たれた状態で保持されるので、携帯電話機からの電子マネーの残高情報等の取得が可能となる。
【００４０】
このため、ユーザが非接触ＩＣを搭載した携帯電話機を所持している場合には、その非接触ＩＣによる通信機能、すなわち携帯電話機の既存の機能を利用してコンテンツ呈示サービスを行うシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００４１】
さらに、前述したコンテンツ呈示サービスを行う各種のシステムのうち、解除キーを購入したコンテンツを利用できるシステムであって、購入した解除キーを利用対象コンテンツの選択入力受付前に予め携帯電話機から読み取っておくシステム（例えば、図８の場合等）は、次のような構成となる。すなわち、本発明は、移動体を運転操作するユーザまたは同乗するユーザに対してコンテンツ呈示サービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、移動体に設置されて複数のコンテンツを予め記憶するコンテンツ記憶手段と、このコンテンツ記憶手段に記憶されたコンテンツを前記ユーザに呈示するための出力を行うコンテンツ呈示手段と、コンテンツを利用するために予め購入された解除キーを携帯電話機内で記憶する解除キー記憶手段と、この解除キー記憶手段に記憶された解除キーを携帯電話機から取得してコンテンツ呈示手段に送信する解除キー取得手段とを備え、解除キー記憶手段は、携帯電話機に内蔵された非接触ＩＣモジュールのメモリにより構成され、携帯電話機保持手段は、非接触ＩＣモジュールのアンテナとリーダ／ライタのアンテナとを所定の距離間隔に保った状態で携帯電話機を保持する構成とされ、解除キー取得手段は、リーダ／ライタを用いて解除キーを非接触ＩＣモジュールのメモリから読み取る構成とされ、コンテンツ呈示手段は、ユーザによるコンテンツまたはコンテンツ群の利用要求に対し、この利用要求に係るコンテンツまたはコンテンツ群が解除キー取得手段から受信した解除キーに対応するコンテンツまたはコンテンツ群である場合に、利用要求に係るコンテンツまたはコンテンツ群を前記ユーザに呈示するための出力を行う構成とされていることを特徴とするものである。
【００４２】
このような本発明（例えば、図８の場合等）においては、携帯電話機保持手段により、非接触ＩＣモジュールを内蔵した携帯電話機をリーダ／ライタに対して一定の状態に保持しておくとともに、コンテンツ記憶手段に複数のコンテンツを予め記憶させておき、さらに、ユーザが購入した解除キーを、携帯電話機の非接触ＩＣモジュールのメモリからなる解除キー記憶手段に記憶させておく。そして、解除キー取得手段により、リーダ／ライタを用いて携帯電話機の解除キー記憶手段から解除キーを取得してコンテンツ呈示手段に送信しておき、その後、ユーザによるコンテンツまたはコンテンツ群の選択を受け付け、コンテンツ呈示手段により、対応する解除キーが受信されている場合に、コンテンツ呈示のための出力を行う。
【００４３】
従って、携帯電話機の非接触ＩＣモジュールのアンテナと、リーダ／ライタのアンテナとが、所定の距離間隔に保たれた状態で保持されるので、携帯電話機からの解除キーの取得が可能となる。
【００４４】
このため、ユーザが非接触ＩＣを搭載した携帯電話機を所持している場合には、その非接触ＩＣによる通信機能、すなわち携帯電話機の既存の機能を利用してコンテンツ呈示サービスを行うシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００４５】
そして、前述したコンテンツ呈示サービスを行う各種のシステムのうち、解除キーを購入したコンテンツを利用できるシステムであって、利用対象コンテンツの選択入力受付後にリーダ／ライタ側のプロセッサで実行されるプログラムにより解除キーを検索するシステム（例えば、図９の場合等）は、次のような構成となる。すなわち、本発明は、移動体を運転操作するユーザまたは同乗するユーザに対してコンテンツ呈示サービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、移動体に設置されて複数のコンテンツおよびこれらの各コンテンツを識別するコンテンツ識別情報を予め記憶するコンテンツ記憶手段と、このコンテンツ記憶手段に記憶されたコンテンツをユーザに呈示するための出力を行うコンテンツ呈示手段と、コンテンツを利用するために予め購入された解除キーおよびこの解除キーに対応するコンテンツまたはコンテンツ群を識別するコンテンツ識別情報を携帯電話機内で記憶する解除キー記憶手段と、ユーザによる利用対象とするコンテンツまたはコンテンツ群の選択入力を受け付ける選択入力受付手段と、この選択入力受付手段により受け付けたユーザの利用対象のコンテンツまたはコンテンツ群についてのコンテンツ識別情報をキーとして、解除キー記憶手段に記憶された解除キーの中に、ユーザの利用対象のコンテンツまたはコンテンツ群に対応する解除キーが存在するか否かを検索し、検索して得られた解除キーをコンテンツ呈示手段に送信する解除キー検索手段とを備え、解除キー記憶手段は、携帯電話機に内蔵された非接触ＩＣモジュールのメモリにより構成され、携帯電話機保持手段は、非接触ＩＣモジュールのアンテナとリーダ／ライタのアンテナとを所定の距離間隔に保った状態で携帯電話機を保持する構成とされ、解除キー検索手段は、リーダ／ライタを用いて解除キーおよびコンテンツ識別情報を非接触ＩＣモジュールのメモリから読み取る構成とされ、コンテンツ呈示手段は、解除キー検索手段から解除キーを受信した場合に、ユーザにより利用対象として選択されたコンテンツまたはコンテンツ群を前記ユーザに呈示するための出力を行う構成とされていることを特徴とするものである。
【００４６】
このような本発明（例えば、図９の場合等）においては、携帯電話機保持手段により、非接触ＩＣモジュールを内蔵した携帯電話機をリーダ／ライタに対して一定の状態に保持しておくとともに、コンテンツ記憶手段に複数のコンテンツおよびそれらのコンテンツ識別情報を予め記憶させておき、さらに、ユーザが購入した解除キーを、携帯電話機の非接触ＩＣモジュールのメモリからなる解除キー記憶手段に記憶させておく。そして、選択入力受付手段により、ユーザ選択を受け付け、解除キー検索手段により、リーダ／ライタを用いて利用対象のコンテンツまたはコンテンツ群についてのコンテンツ識別情報に基づき携帯電話機の解除キー記憶手段に記憶された解除キーの中から対応する解除キーを検索し、対応する解除キーがあった場合に、コンテンツ呈示手段により、コンテンツ呈示のための出力を行う。
【００４７】
従って、携帯電話機の非接触ＩＣモジュールのアンテナと、リーダ／ライタのアンテナとが、所定の距離間隔に保たれた状態で保持されるので、携帯電話機からの解除キーの検索取得が可能となる。
【００４８】
このため、ユーザが非接触ＩＣを搭載した携帯電話機を所持している場合には、その非接触ＩＣによる通信機能、すなわち携帯電話機の既存の機能を利用してコンテンツ呈示サービスを行うシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００４９】
また、前述したコンテンツ呈示サービスを行う各種のシステムのうち、解除キーを購入したコンテンツを利用できるシステムであって、利用対象コンテンツの選択入力受付後に携帯電話機内のプロセッサで実行されるプログラムにより解除キーを検索するシステム（例えば、図１０の場合等）は、次のような構成となる。すなわち、本発明は、移動体を運転操作するユーザまたは同乗するユーザに対してコンテンツ呈示サービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、移動体に設置されて複数のコンテンツおよびこれらの各コンテンツを識別するコンテンツ識別情報を予め記憶するコンテンツ記憶手段と、このコンテンツ記憶手段に記憶されたコンテンツをユーザに呈示するための出力を行うコンテンツ呈示手段と、コンテンツを利用するために予め購入された解除キーおよびこの解除キーに対応するコンテンツまたはコンテンツ群を識別するコンテンツ識別情報を携帯電話機内で記憶する購入解除キー記憶手段と、ユーザによる利用対象とするコンテンツまたはコンテンツ群の選択入力を受け付ける選択入力受付手段と、この選択入力受付手段により受け付けたユーザの利用対象のコンテンツまたはコンテンツ群についてのコンテンツ識別情報を携帯電話機に送信する選択コンテンツ情報送信手段と、この選択コンテンツ情報送信手段から受信したコンテンツ識別情報を携帯電話機内で記憶する選択コンテンツ情報記憶手段と、この選択コンテンツ記憶手段に記憶されたコンテンツ識別情報をキーとして、購入解除キー記憶手段に記憶された解除キーの中に、ユーザの利用対象のコンテンツまたはコンテンツ群に対応する解除キーが存在するか否かを検索する解除キー検索手段と、この解除キー検索手段により検索して得られた解除キーを携帯電話機内で記憶する利用解除キー記憶手段と、この利用解除キー記憶手段に記憶された解除キーを携帯電話機から取得し、取得した解除キーをコンテンツ呈示手段に送信する解除キー取得手段とを備え、購入解除キー記憶手段は、携帯電話機に内蔵された非接触ＩＣモジュールのメモリまたは携帯電話機に内蔵された他のメモリにより構成され、利用解除キー記憶手段および選択コンテンツ情報記憶手段は、携帯電話機に内蔵された非接触ＩＣモジュールのメモリにより構成され、携帯電話機保持手段は、非接触ＩＣモジュールのアンテナとリーダ／ライタのアンテナとを所定の距離間隔に保った状態で携帯電話機を保持する構成とされ、選択コンテンツ情報送信手段は、リーダ／ライタを用いてコンテンツ識別情報を非接触ＩＣモジュールのメモリに書き込む構成とされ、解除キー取得手段は、リーダ／ライタを用いて解除キーを非接触ＩＣモジュールのメモリから読み取る構成とされ、コンテンツ呈示手段は、解除キー取得手段から解除キーを受信した場合に、ユーザにより利用対象として選択されたコンテンツまたはコンテンツ群をユーザに呈示するための出力を行う構成とされていることを特徴とするものである。
【００５０】
このような本発明（例えば、図１０の場合等）においては、携帯電話機保持手段により、非接触ＩＣモジュールを内蔵した携帯電話機をリーダ／ライタに対して一定の状態に保持しておくとともに、コンテンツ記憶手段に複数のコンテンツおよびそれらのコンテンツ識別情報を予め記憶させておき、さらに、ユーザが購入した解除キーを、携帯電話機の非接触ＩＣモジュールのメモリからなる購入解除キー記憶手段に記憶させておく。そして、選択入力受付手段により、ユーザ選択を受け付け、選択コンテンツ情報送信手段により、リーダ／ライタを用いて利用対象のコンテンツまたはコンテンツ群についてのコンテンツ識別情報を携帯電話機の非接触ＩＣモジュールのメモリからなる選択コンテンツ情報記憶手段に書き込み、解除キー検索手段により、選択コンテンツ情報記憶手段に記憶されたコンテンツ識別情報に基づき携帯電話機の購入解除キー記憶手段に記憶された解除キーの中から対応する解除キーを検索し、対応する解除キーがあった場合に、その解除キーを携帯電話機の非接触ＩＣモジュールのメモリからなる利用解除キー記憶手段に書き込み、解除キー取得手段により、リーダ／ライタを用いて携帯電話機の利用解除キー記憶手段に記憶された解除キーを取得し、コンテンツ呈示手段により、取得した解除キーを用いてコンテンツ呈示のための出力を行う。
【００５１】
従って、携帯電話機の非接触ＩＣモジュールのアンテナと、リーダ／ライタのアンテナとが、所定の距離間隔に保たれた状態で保持されるので、携帯電話機へのコンテンツ識別情報の送信および携帯電話機からの解除キーの取得が可能となる。
【００５２】
このため、ユーザが非接触ＩＣを搭載した携帯電話機を所持している場合には、その非接触ＩＣによる通信機能、すなわち携帯電話機の既存の機能を利用してコンテンツ呈示サービスを行うシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００５３】
以上においては、コンテンツ呈示サービスを行うシステムについて述べたが、以下では、自動料金収受サービスを行うシステムについて述べる。
【００５４】
自動料金収受サービスを行うシステムとしては、入口料金所の路側アンテナから送信されてきた入口情報を出口料金所に到着するまで携帯電話機に記憶させておくシステム（例えば、図６の場合等）と、入口情報をリーダ／ライタ側の機器に記憶させておくシステム（例えば、図１１の場合等）とがあり、いずれの場合も、次のような構成となる。
【００５５】
すなわち、本発明は、移動体を運転操作するユーザまたは同乗するユーザに対して有料道路またはこれに類する設備の自動料金収受サービスを含むサービスを提供するための移動体搭乗者向けサービス提供システムであって、アンテナおよびメモリを含んで構成された非接触ＩＣモジュールを内蔵して移動体とともに移動する携帯電話機を保持する携帯電話機保持手段と、非接触ＩＣモジュールのメモリからの情報の読取りおよびこのメモリへの情報の書込みを非接触で行うリーダ／ライタと、料金所に設けられた路側アンテナとの間で料金収受に必要なＥＴＣ情報の送受信を行うＥＴＣアンテナおよびＥＴＣチューナと、このＥＴＣチューナとの間でＥＴＣ情報の受渡しを行うとともに携帯電話機との間でＥＴＣ情報の送受信を行う料金収受処理手段とを備え、料金収受処理手段は、リーダ／ライタを用いてＥＴＣ情報について非接触ＩＣモジュールのメモリからの読込みおよび／または非接触ＩＣモジュールのメモリへの書込みを行う構成とされていることを特徴とするものである。
【００５６】
ここで、「有料道路またはこれに類する設備」とは、有料道路の他に、例えば、有料駐車場、カーフェリー等のＥＴＣシステムに基づく自動料金収受が可能な設備に適用してもよい趣旨である。
【００５７】
また、「ＥＴＣ情報」とは、例えば、入口料金所の路側アンテナから送信されてくる入口情報、携帯電話機またはそのユーザに固有のＩＤ情報、出口料金所の路側アンテナから送信されてくる料金情報等である。
【００５８】
このような本発明においては、携帯電話機保持手段により、非接触ＩＣモジュールを内蔵した携帯電話機をリーダ／ライタに対して一定の状態に保持しておくとともに、料金収受に必要なＥＴＣ情報を携帯電話機の非接触ＩＣモジュールのメモリに記憶させておき、リーダ／ライタを用いて携帯電話機からＥＴＣ情報を取得し、料金収受に必要な処理を行う。
【００５９】
従って、携帯電話機の非接触ＩＣモジュールのアンテナと、リーダ／ライタのアンテナとが、所定の距離間隔に保たれた状態で保持されるので、携帯電話機へのＥＴＣ情報の送信および／または携帯電話機からのＥＴＣ情報の取得が可能となる。
【００６０】
このため、ユーザが非接触ＩＣを搭載した携帯電話機を所持している場合には、その非接触ＩＣによる通信機能、すなわち携帯電話機の既存の機能を利用して自動料金収受サービスを行うシステムを実現することができるので便利であり、携帯電話機の機能を向上させるとともに、ユーザにとって使い勝手のよい移動体搭乗者向けサービス提供システムを実現することが可能となり、これらにより前記目的が達成される。
【００６１】
なお、以上に述べたナビゲーションサービスを行うシステムの発明と、コンテンツ呈示サービスを行うシステムの発明と、自動料金収受サービスを行うシステムの発明とは、組み合わせて用いてもよい。
【発明の効果】
【００６２】
以上に述べたように本発明によれば、非接触ＩＣモジュールを内蔵した携帯電話機をリーダ／ライタに対して一定の状態に保持し、非接触ＩＣによる通信機能を利用して携帯電話機とその他の機器との間で情報の送受信を行うことによりナビゲーションサービス、コンテンツ呈示サービス、自動料金収受サービス、あるいはこれらを組み合わせたサービスを実現することができるので、携帯電話機の機能を向上させることができるうえ、ユーザにとって使い勝手のよい移動体搭乗者向けサービス提供システムを実現することができるという効果がある。
【発明を実施するための最良の形態】
【００６３】
以下に本発明の一実施形態について図面を参照して説明する。図１には、本発明の移動体搭乗者向けサービス提供システムである本実施形態の自動車搭載用の車載システム１０の全体構成が示されている。図２には、車載システム１０の構成機器のうち自動車内に搭載される機器のハードウェア構成が示されている。図３は、自動車内に搭載される機器の外観を示す斜視図である。また、図４は、ナビゲーションサービスを行う際の処理やデータの流れを示す説明図であり、図５は、コンテンツ呈示サービスを行う際の処理やデータの流れを示す説明図であり、図６は、有料道路等の自動料金収受サービスを行う際の処理やデータの流れを示す説明図である。
【００６４】
図１および図２において、車載システム１０は、移動体（ここでは、一例として自動車とする。）とともに移動する携帯電話機２０と、車内に設置されて携帯電話機２０の機能を補助する補助端末装置５０と、カーオーディオシステム等のコンテンツ呈示システム１２０と、ナビゲーションセンタ装置１４０と、コンテンツ管理センタ装置１５０と、ＥＴＣ管理センタ装置１６０とを備えて構成されている。
【００６５】
図１において、携帯電話機２０と、ナビゲーションセンタ装置１４０、コンテンツ管理センタ装置１５０、およびＥＴＣ管理センタ装置１６０とは、それぞれ携帯電話網２、携帯電話会社管理センタ３、およびインターネット４を含んで構成された通信網５を介して接続されている。なお、通信網５は、このような構成に限定されず、例えば、インターネット４に、ＬＡＮ、ＭＡＮ、ＷＡＮ、イントラネット、エクストラネット等を組み合わせた構成としてもよく、携帯電話会社管理センタ３と、ナビゲーションセンタ装置１４０、コンテンツ管理センタ装置１５０、およびＥＴＣ管理センタ装置１６０とは、それぞれインターネット４ではなく専用線により接続してもよい。
【００６６】
図１において、携帯電話機２０は、非接触ＩＣモジュール３０と、カーナビゲーション、コンテンツ呈示、有料道路等の自動料金収受に関する各種処理を行うための処理手段４０とを備えている。また、図２に示すように、ハードウェア構成としては、携帯電話機２０には、非接触ＩＣモジュール３０の他に、中央演算処理装置（ＣＰＵ）４５、メモリ４６、１０芯インターフェース４７が設けられている。
【００６７】
図１および図２において、非接触ＩＣモジュール３０は、アンテナ３１とＩＣチップ３２とにより構成されている。この非接触ＩＣモジュール３０は、通信の相手方であるリーダ／ライタ６０から電磁誘導の原理で電力を供給されて動作するモジュールであり、具体的には、例えば、フェリカ（ＦｅｌｉＣａ）チップ（商標）等を採用することができる。このフェリカチップ（商標）による通信技術は、ベースの波（搬送波）に信号を載せる（変調する）ことで電力と信号とを同時に伝える技術であり、例えば、搬送波周波数：１３．５６ＭＨｚ、通信速度：２１２Ｋｂｐｓ、変調方式：振幅変調、符号化方式：マンチェスタ方式という仕様のものであるが、これに限定されるものではない。
【００６８】
アンテナ３１は、図３中の点線で示すように、携帯電話機２０のキー操作部２１の裏面と略平行になる状態でループ状に張られたＲＦアンテナである。
【００６９】
ＩＣチップ３２は、補助端末装置５０に設けられたリーダ／ライタ６０との間の信号の送受信に必要な変調や復調を含む各種制御を行うＲ／Ｗコントローラ３３と、メモリ３４とを含んで構成されている。
【００７０】
メモリ３４は、例えば、ＥＥＰＲＯＭやフラッシュメモリ等である。このメモリ３４は、複数の領域に区画され、携帯電話機２０に搭載されて実行される各アプリケーション毎に異なる領域が使用されるようになっている。本実施形態では、図１に示すように、メモリ３４のうち、カーナビゲーションに関する処理で使用される領域により現在位置情報記憶手段３５が構成され、コンテンツ呈示に関する処理で使用される領域によりコンテンツ呈示サービス用情報記憶手段３６が構成され、有料道路等の自動料金収受に関する処理で使用される領域によりＥＴＣ情報記憶手段３７が構成されている。また、コンテンツ呈示サービス用情報記憶手段３６を構成するメモリ領域には、電子マネー情報記憶手段３６Ａを構成する領域と、選択コンテンツ情報記憶手段３６Ｂを構成する領域と、判断結果記憶手段３６Ｃを構成する領域とが含まれている。
【００７１】
現在位置情報記憶手段３５は、補助端末装置５０の現在位置情報供給手段７１により供給されてくる自動車（ユーザの搭乗している自動車）の現在位置情報（ＧＰＳによる緯度・経度情報等）を記憶するものである。
【００７２】
コンテンツ呈示サービス用情報記憶手段３６の中の電子マネー情報記憶手段３６Ａは、コンテンツを利用するために予め購入してチャージされた電子マネーの残高情報を記憶するものである。
【００７３】
コンテンツ呈示サービス用情報記憶手段３６の中の選択コンテンツ情報記憶手段３６Ｂは、補助端末装置５０の選択コンテンツ情報送信手段７２Ａにより送信されてきた利用料情報を記憶するものである。
【００７４】
コンテンツ呈示サービス用情報記憶手段３６の中の判断結果記憶手段３６Ｃは、利用可否判断手段４２Ｂによる判断結果を記憶するものである。
【００７５】
ＥＴＣ情報記憶手段３７は、携帯電話機２０のＥＴＣ情報設定手段４３により書き込まれたＩＤ情報、補助端末装置５０の料金収受処理手段７３により書き込まれた入口情報および料金情報を記憶するものである。
【００７６】
図１において、処理手段４０は、カーナビゲーションに関する各種処理を行うナビゲーション処理手段４１と、コンテンツ呈示に関する各種処理を行う携帯電話機側コンテンツ呈示サービス処理手段４２と、有料道路等の自動料金収受に関する各種処理を行うＥＴＣ情報設定手段４３とを含んで構成されている。
【００７７】
ナビゲーション処理手段４１は、現在位置情報記憶手段３５に記憶された現在位置情報に基づき携帯電話機２０でナビゲーション画面を表示する処理を含むナビゲーションに関する処理を行うものである。この際、ナビゲーション処理手段４１は、図４に示すように、非接触ＩＣモジュール３０のメモリ３４からなる現在位置情報記憶手段３５に書き込まれた現在位置情報を、一定の時間間隔Ｐで読み込んでナビゲーション画面の表示処理を行う。この読込みの時間間隔Ｐは、補助端末装置５０の現在位置情報供給手段７１による現在位置情報記憶手段３５への現在位置情報の書込みの時間間隔Ｎ（例えば１秒間隔）と同一の時間間隔とされている。
【００７８】
また、ナビゲーション処理手段４１は、現在位置情報記憶手段３５からの現在位置情報の読込時に、補助端末装置５０の現在位置情報供給手段７１による書込みとの衝突によるエラーが出た場合に、読込みのタイミングをずらす処理を行う。つまり、図４に示すように、ナビゲーション処理手段４１による現在位置情報の１回の読込処理時間をＱとし、現在位置情報供給手段７１による現在位置情報の１回の書込処理時間をＭとすると、処理時間Ｑだけかかる毎回の読込処理が行われれる時刻と、処理時間Ｍだけかかる毎回の書込処理が行われる時刻とに重なりが生じないようにする。
【００７９】
さらに、ナビゲーション処理手段４１は、ナビゲーションセンタ装置１４０に設けられたプログラム提供用のサーバから、例えばＪＡＶＡプログラム等のアプリケーションプログラムをダウンロードして取得し、取得したプログラムを携帯電話機２０のメモリ４６に記憶保存させる処理も行う。
【００８０】
より詳細に述べると、ナビゲーション処理手段４１により行われるナビゲーションに関する処理には、ユーザによる目的地の入力設定（音声による入力設定でもよい。）を受け付ける処理と、受け付けた目的地情報（目的地を示す音声情報でもよい。）を通信網５を介してナビゲーションセンタ装置１４０に送信する処理と、目的地までの経路情報（例えば、経路を構成する交差点や分岐点等の各ポイントの緯度・経度情報、交差点や分岐点等の各ポイントの名称のデータ、通りの名称のデータ、直進・右折・左折等の別を示すデータ等が含まれる。）を算出するために用いられる始点情報としての現在位置情報を通信網５を介してナビゲーションセンタ装置１４０に設けられた経路情報算出用のサーバに送信する処理と、ナビゲーションセンタ装置１４０から通信網５を介して送信されてきた経路情報を受信してメモリ４６（図２参照）に記憶保存させる処理と、メモリ４６に記憶された経路情報および補助端末装置５０から供給されてきて非接触ＩＣモジュール３０のメモリ３４に記憶された自動車（ユーザが搭乗している自動車）の現在位置情報に基づき経路上でのその自動車の相対位置（つまり、その自動車が経路上のどの位置を走行しているか）を算出する処理（具体的には、例えば、経路情報を構成する交差点、曲がり角、分岐点等の各ポイントまでの距離等を算出する処理）と、経路上での相対位置の算出結果に基づき携帯電話機２０の表示部２５（図３参照）にナビゲーション画面を表示する処理とがある。このナビゲーション画面の表示には、例えば、走行中の通りの名称のテキスト表示、近傍交差点等の名称のテキスト表示、近傍交差点等までの残りの距離のテキスト表示、直進・右折・左折等の別を示すテキスト表示および図形表示（拡大図形表示もある。）等が含まれる。
【００８１】
また、ナビゲーション処理手段４１は、経路上での相対位置の算出結果に基づき、音声によるナビゲーション情報の提供処理も行う。具体的には、例えば、ナビゲーション（ルートガイド）開始時には、「ピー」等の開始効果音を発し、右左折１００ｍ手前では、「１００ｍ先右折です。」、「１００ｍ先左折です。」等の案内音を発し、目的地到着時には、「ピンポン」等の到着効果音を発する処理を行う。
【００８２】
さらに、ナビゲーション処理手段４１は、メモリ４６（図２参照）に記憶された経路情報と、補助端末装置５０から供給されてきて非接触ＩＣモジュール３０のメモリ３４に記憶された現在位置情報とに基づき、ユーザが搭乗（運転または同乗）している自動車が、始点から目的地までの経路を外れているか否かを判断する処理も行う。なお、経路を外れていると判断された場合には、その時の現在位置情報を新たな始点情報として、再び経路情報の算出処理を行う。
【００８３】
携帯電話機側コンテンツ呈示サービス処理手段４２は、電子マネーチャージ手段４２Ａと、利用可否判断手段４２Ｂと、課金処理手段４２Ｃとを含んで構成されている。
【００８４】
電子マネーチャージ手段４２Ａは、通信網５を介してコンテンツ管理センタ装置１５０に設けられた電子マネー購入用のサーバにアクセスし、電子マネーの購入手続を携帯電話機２０を用いてオンラインで行い、購入した電子マネーを電子マネー情報記憶手段３６Ａに書き込んでチャージする処理を行うものである。
【００８５】
利用可否判断手段４２Ｂは、選択コンテンツ情報記憶手段３６Ｂに記憶された利用料情報と電子マネー情報記憶手段３６Ａに記憶された残高情報とを読み込み、これらの利用料情報と残高情報とに基づき、選択されたコンテンツまたはコンテンツ群を利用するのに電子マネーの残高が足りるか否かを判断する処理を行うものである。具体的には、残高が利用料以上あれば、そのコンテンツまたはコンテンツ群を利用可能と判断し、残高が利用料を下回っていれば、利用不可と判断する。
【００８６】
課金処理手段４２Ｃは、利用可否判断手段４２Ｂによる判断結果が選択コンテンツ利用可能という判断結果となった場合に、選択されたコンテンツまたはコンテンツ群についての利用料に応じて、電子マネー情報記憶手段３６Ａに記憶された残高情報を更新する課金処理を行うものである。具体的には、現在の残高から利用料を差し引いた額を、新たな残高情報として電子マネー情報記憶手段３６Ａに書き込む処理を行う。
【００８７】
ＥＴＣ情報設定手段４３は、通信網５を介してＥＴＣ管理センタ装置１６０に設けられたユーザ情報管理サーバにアクセスし、携帯電話機２０またはそのユーザに固有のＩＤ情報、すなわち有料道路等の料金収受に必要となる料金支払者を特定するための情報の登録手続を行うとともに、このＩＤ情報を携帯電話機２０のＥＴＣ情報記憶手段３７に書き込む処理を行うものである。
【００８８】
そして、処理手段４０を構成する各手段４１，４２（４２Ａ，４２Ｂ，４２Ｃ），４３は、携帯電話機２０の内部に設けられたＣＰＵ４５（図２参照）、およびこのＣＰＵ４５の動作手順を規定する１つまたは複数のプログラムにより実現される。例えば、ＪＡＶＡプログラミング言語（ＪＡＶＡは、登録商標）により記述されたプログラム、およびこのＪＡＶＡプログラムの実行環境を形成するＪＡＶＡ仮想マシン（ＫＶＭ）により実現される。より具体的には、例えば、携帯電話会社の提供するネットワーク接続サービスの一種である「ＥＺアプリ」（商標）や「ｉアプリ」（商標）等の対象となるＪＡＶＡアプリケーション等、すなわちＣＬＤＣ（Connected Limited Device Configuration）の規格に従ったＪＡＶＡ実行環境（ＭＩＤＰ（Mobile Information Device Profile）も含む。）に対応するＪＡＶＡアプリケーション等である。また、ワイヤレス端末向けアプリケーションプラットフォームＢＲＥＷ（Binary Runtime Environment for Wireless）（商標）を採用し、例えばＣ言語やＣ＋＋言語で記述されたＢＲＥＷプログラムとしてもよい。
【００８９】
これらのアプリケーションプログラムは、携帯電話機２０の外部から取得して携帯電話機２０に搭載したプログラム、すなわちナビゲーションセンタ装置１４０、コンテンツ管理センタ装置１５０、ＥＴＣ管理センタ装置１６０等に設けられたサーバからダウンロードして取得した外部取得プログラムでもよく、あるいは工場出荷時から携帯電話機２０に搭載されているプログラムでもよい。また、処理手段４０を構成する各手段４１，４２（４２Ａ，４２Ｂ，４２Ｃ），４３は、ＷＥＢブラウザ、あるいはアプリケーションプログラムとＷＥＢブラウザとの組合せにより実現してもよい。
【００９０】
図２において、メモリ４６は、外部から取得したプログラムやデータを保存するＥＥＰＲＯＭやフラッシュメモリ、ＷＥＢブラウザ等の工場出荷時からの内蔵プログラムを記憶するＲＯＭ、プログラム実行時の作業領域として用いられるＲＡＭ等である。
【００９１】
１０芯インターフェース４７は、本実施形態では、補助端末装置５０のハンドフリー回路１００と携帯電話機２０との間で音声信号を送受信するためのインターフェースとして用いられる。この１０芯インターフェース４７には、コネクタ１１０（図３参照）が接続されるようになっている。なお、音声信号の送受信は、１０芯インターフェース４７の代わりに、例えば、赤外線通信用のＩｒＤＡ（Infrared Data Association）ポート、ＵＳＢポート、ブルートゥースポート等を用いてもよい。
【００９２】
図１において、補助端末装置５０は、リーダ／ライタ６０と、カーナビゲーション、コンテンツ呈示、有料道路等の自動料金収受に関する各種処理を行うための処理手段７０と、自動車（ユーザの搭乗している自動車）の現在位置情報を取得する現在位置情報取得手段８０を構成するＧＰＳチューナ８１およびＧＰＳアンテナ８２と、料金所に設けられた路側アンテナ１３０との間でＥＴＣ情報の送受信を行うＥＴＣチューナ９１およびＥＴＣアンテナ９２とを備えている。この補助端末装置５０は、例えば、ダッシュボードやエアコンの中央の吐出口の近傍等に取り付ける。また、図２に示すように、ハードウェア構成としては、補助端末装置５０には、リーダ／ライタ６０、ＧＰＳチューナ８１およびＧＰＳアンテナ８２、ＥＴＣチューナ９１およびＥＴＣアンテナ９２の他に、ＣＰＵ７５、メモリ７６、ハンドフリー回路１００、スピーカ１０１、マイクロホン１０２を接続するマイク入力端子１０３、他の機器から車速データを取り込むための車速入力端子１０４、シリアル信号入力端子１０５、シリアル信号出力端子１０６が設けられとともに、電源供給用のシガープラグ１０７（図３参照）が先端に接続されたケーブル１０８、アース線１０９、音声操作や通話用の音声信号の送受信を行うためのコネクタ１１０（図３参照）が先端に接続されたケーブル１１１が外部に向かって延びている。
【００９３】
図３において、補助端末装置５０は、携帯電話機２０を載せて固定するための台（クレードル）としても機能する。すなわち、補助端末装置５０の箱状の筐体の上部には、上方に向かって突出する４つの支持用突起部５１，５２，５３，５４が設けられ、これらの内向面側には、例えばゴム製の弾性部材５１Ａ，５２Ａ，５３Ａ，５４Ａが設けられている。また、補助端末装置５０の筐体の上面５５にも、例えばゴム製の弾性部材５５Ａが設けられている。
【００９４】
このうち支持用突起部５１，５２の弾性部材５１Ａ，５２Ａは、携帯電話機２０の左側の側面２２（本実施形態では、キー操作部２１の側面）に当接し、支持用突起部５３，５４の弾性部材５３Ａ，５４Ａは、携帯電話機２０の右側の側面２３に当接し、上面５５の弾性部材５５Ａは、携帯電話機２０の裏面２４（本実施形態では、キー操作部２１の裏面）に当接するようになっている。そして、これらの支持用突起部５１〜５４および上面５５、並びに弾性部材５１Ａ〜５５Ａにより、携帯電話機２０を保持する携帯電話機保持手段５６が構成されている。
【００９５】
また、支持用突起部５３，５４は、図中の矢印の如く、左右方向に摺動自在とされるとともに、ばね等で内向き方向に付勢されている。従って、携帯電話機２０を固定する際には、支持用突起部５３，５４を外向き方向に手で引っ張り、携帯電話機２０を置いてから、手を離せばよい。そして、固定された携帯電話機２０は、弾性部材５１Ａ〜５５Ａに当接しているので、傷が付かないうえ、滑って落下することもない。なお、左側の支持用突起部５１，５２を摺動させてもよく、あるいは左側の支持用突起部５１，５２および右側の支持用突起部５３，５４の双方を摺動させてもよい。
【００９６】
このように携帯電話機保持手段５６により携帯電話機２０が補助端末装置５０に固定された状態では、携帯電話機２０の非接触ＩＣモジュール３０のアンテナ３１（図３中の点線参照）と、補助端末装置５０のリーダ／ライタ６０のアンテナ６１（図３中の点線参照）とが、無線通信に適した所定の距離間隔に保たれた状態で保持されるようになっている。
【００９７】
なお、本実施形態では、４つの支持用突起部５１〜５４が設けられていたが、支持用突起部の個数は、これに限定されるものではなく、任意であり、例えば、左右にそれぞれ３個ずつ以上設けてもよく、支持用突起部の横幅が比較的大きい場合には、左右にそれぞれ１個ずつとしてもよく、あるいは左右の支持用突起部の個数が違っていてもよい。なお、支持のバランス、引っ張り易さ等の観点からは、本実施形態のように片側２個が好適である。
【００９８】
図１および図２において、リーダ／ライタ６０は、携帯電話機２０に搭載された非接触ＩＣモジュール３０との間で無線通信を行ってメモリ３４からの情報の読取りおよびメモリ３４への情報の書込みを非接触で行うためのモジュールであり、アンテナ６１と、Ｒ／Ｗコントローラ６２とにより構成されている。
【００９９】
アンテナ６１は、図３中の点線で示すように、補助端末装置５０の筐体の内部にこの筐体の上面５５と略平行になる状態でループ状に張られたＲＦアンテナである。従って、アンテナ６１は、携帯電話機保持手段５６により携帯電話機２０が補助端末装置５０に固定された状態では、携帯電話機２０の非接触ＩＣモジュール３０のアンテナ３１と略平行に配置される。
【０１００】
Ｒ／Ｗコントローラ６２は、携帯電話機２０に搭載された非接触ＩＣモジュール３０との間の信号の送受信に必要な変調や復調を含む各種制御を行うものである。
【０１０１】
図１において、処理手段７０は、カーナビゲーションに関する各種処理を行う現在位置情報供給手段７１と、コンテンツ呈示に関する各種処理を行う補助端末装置側コンテンツ呈示サービス処理手段７２と、有料道路等の自動料金収受に関する各種処理を行う料金収受処理手段７３とを含んで構成されている。
【０１０２】
現在位置情報供給手段７１は、現在位置情報取得手段８０により取得した現在位置情報（ＧＰＳ情報）を携帯電話機２０に供給する処理を行うものである。この際、現在位置情報供給手段７１は、リーダ／ライタ６０を用いて現在位置情報を、一定の時間間隔Ｎ（例えば１秒間隔）で携帯電話機２０の非接触ＩＣモジュール３０のメモリ３４からなる現在位置情報記憶手段３５に書き込む処理を行う（図４参照）。
【０１０３】
また、現在位置情報供給手段７１は、現在位置情報記憶手段３５への現在位置情報の書込時に、ナビゲーション処理手段４１による現在位置情報記憶手段３５からの現在位置情報の読込みとの衝突によるエラーが出た場合に、書込みのタイミングをずらす処理を行う。
【０１０４】
補助端末装置側コンテンツ呈示サービス処理手段７２は、選択コンテンツ情報送信手段７２Ａと、判断結果伝達手段７２Ｂとを含んで構成されている。
【０１０５】
選択コンテンツ情報送信手段７２Ａは、コンテンツ呈示システム１２０から選択入力受付手段１２１により送信されてくるユーザの利用対象のコンテンツまたはコンテンツ群についての利用料情報を携帯電話機２０に送信する処理を行うものである。この際、選択コンテンツ情報送信手段７２Ａは、リーダ／ライタ６０を用いて利用料情報を、携帯電話機２０の非接触ＩＣモジュール３０のメモリ３４からなる選択コンテンツ情報記憶手段３６Ｂに書き込む処理を行う。
【０１０６】
判断結果伝達手段７２Ｂは、携帯電話機２０の非接触ＩＣモジュール３０のメモリ３４からなる判断結果記憶手段３６Ｃに記憶されたコンテンツ利用可否の判断結果を、リーダ／ライタ６０を用いて読み取ることにより携帯電話機２０から取得し、コンテンツ呈示システム１２０のコンテンツ呈示手段１２２に送信する処理を行うものである。
【０１０７】
料金収受処理手段７３は、ＥＴＣチューナ９１との間でＥＴＣ情報の受渡しを行うとともに、携帯電話機２０との間でＥＴＣ情報を送受信する処理を行うものである。より具体的には、料金収受処理手段７３は、ＥＴＣアンテナ９２により入口料金所に設けられた路側アンテナ１３０から受信した入口情報をＥＴＣチューナ９１から受け取り、この入口情報をリーダ／ライタ６０を用いて携帯電話機２０の非接触ＩＣモジュール３０のメモリ３４からなるＥＴＣ情報記憶手段３７に書き込む処理と、出口料金所に到着したときにＥＴＣ情報記憶手段３７に記憶された入口情報およびＩＤ情報をリーダ／ライタ６０を用いて読み取り、これらの入口情報およびＩＤ情報を出口料金所に設けられた路側アンテナ１３０に送信するためにＥＴＣチューナ９１に引き渡す処理と、ＥＴＣアンテナ９２により出口料金所に設けられた路側アンテナ１３０から受信した料金情報をＥＴＣチューナ９１から受け取り、この料金情報をリーダ／ライタ６０を用いて携帯電話機２０のＥＴＣ情報記憶手段３７に書き込む処理とを行う。
【０１０８】
そして、処理手段７０を構成する各手段７１，７２（７２Ａ，７２Ｂ），７３は、補助端末装置５０の内部に設けられたＣＰＵ７５（図２参照）、およびこのＣＰＵ７５の動作手順を規定する１つまたは複数のプログラムにより実現される。
【０１０９】
図２において、メモリ７６は、データを保存するＥＥＰＲＯＭやフラッシュメモリ、プログラムを記憶するＲＯＭ、プログラム実行時の作業領域として用いられるＲＡＭ等である。
【０１１０】
ＧＰＳチューナ８１は、ＧＰＳアンテナ８２により受信したＧＰＳ信号を変換して緯度・経度情報を求めるとともに、緯度・経度情報から速度や方位等の情報を生成する処理も行う。
【０１１１】
ＧＰＳアンテナ８２は、ＧＰＳ衛星８３から送信されてくるＧＰＳ信号を受信するものである。
【０１１２】
ＥＴＣチューナ９１は、ＥＴＣアンテナ９２により受信したＥＴＣ情報を変換して料金収受処理手段７３に送るとともに、料金収受処理手段７３から受け取ったＥＴＣ情報を料金所に設けられた路側アンテナ１３０に送信するためにＥＴＣアンテナ９２に変換して送る処理を行うものである。
【０１１３】
ＥＴＣアンテナ９２は、料金所に設けられた路側アンテナ１３０との間でＥＴＣ情報の送受信を行うものである。
【０１１４】
ハンドフリー回路１００は、携帯電話機２０から１０芯インターフェース４７を介して送信されてくる音声信号をスピーカ１０１で出力させる処理や、マイクロホン１０２で入力されたユーザの音声信号を１０芯インターフェース４７を介して携帯電話機２０に送信する処理を行うものである。
【０１１５】
図１において、コンテンツ呈示システム１２０は、選択入力受付手段１２１と、コンテンツ呈示手段１２２と、コンテンツ記憶手段１２３とを含んで構成されている。なお、図示は省略されているが、コンテンツ呈示システム１２０には、キーやボタン等による操作部、画面表示部、スピーカ等が設けられている。
【０１１６】
選択入力受付手段１２１は、ユーザによる利用対象とするコンテンツまたはコンテンツ群の選択入力（手入力でも音声入力でもよい。）を受け付け、受け付けたコンテンツまたはコンテンツ群についての利用料情報をコンテンツ記憶手段１２３から取得し、補助端末装置５０に送信する処理を行うものである。
【０１１７】
コンテンツ呈示手段１２２は、コンテンツ記憶手段１２３に記憶されたコンテンツをユーザに呈示するための出力処理を行うものである。この際、コンテンツ呈示手段１２２は、補助端末装置５０の判断結果伝達手段７２Ｂから選択コンテンツ利用可能という判断結果を受信した場合に、選択されたコンテンツまたはコンテンツ群をユーザに呈示するための出力を行う。例えば、コンテンツ呈示システム１２０がオーディオシステムである場合には、ユーザが選択した曲（１曲または複数曲）を再生する。
【０１１８】
これらの選択入力受付手段１２１およびコンテンツ呈示手段１２２は、コンテンツ呈示システム１２０の内部に設けられたＣＰＵ、およびこのＣＰＵの動作手順を規定する１つまたは複数のプログラムにより実現される。
【０１１９】
コンテンツ記憶手段１２３は、複数のコンテンツと、これらの各コンテンツの利用料情報とを対応させて記憶するものである。なお、コンテンツとその利用料情報とは、必ずしも直接に対応している必要はなく、例えば、あるテーブルでコンテンツとコンテンツ識別情報とが対応し、別のテーブルで利用料情報とコンテンツ識別情報とが対応し、コンテンツ識別情報を介して２つのテーブルに跨って記憶されたコンテンツとその利用料情報とが繋がるようにしてもよく、要するにコンテンツとその利用料情報とが対応していればよい。このコンテンツ記憶手段１２３は、例えば、ＣＤ、ＤＶＤ、ハードディスク等により実現することができる。なお、図３に示した例は、ＣＤまたはＤＶＤの場合である。また、コンテンツ記憶手段１２３には、利用料情報として、金額情報そのもの（例えば、何円、何ドル等の情報）ではなく、その代替情報（例えば、１，２，３…やＡ，Ｂ，Ｃ…、あるいは高、中、低のようなグレード情報等）を記憶させてもよい。さらに、利用料情報に加えて各コンテンツ毎または各コンテンツ群毎にコンテンツ制作者情報を記憶させてもよい。
【０１２０】
ナビゲーションセンタ装置１４０には、携帯電話機２０に搭載するカーナビゲーション用のアプリケーションプログラムを提供するためのプログラム提供用のサーバ、始点から目的地までの経路情報を算出するための経路情報算出用のサーバ、ユーザの音声による入力操作を実現するための音声認識処理や音声によるユーザへの情報伝達処理を行うための音声サーバ等が設けられている。
【０１２１】
コンテンツ管理センタ装置１５０には、ユーザによる電子マネーの購入処理を受け付けるための電子マネー購入用のサーバ等が設けられている。
【０１２２】
ＥＴＣ管理センタ装置１６０には、携帯電話機２０またはそのユーザに固有のＩＤ情報を管理するためのユーザ情報管理サーバ、各料金所に設置された料金所装置１３１から送信されてくる情報に基づき各ユーザ毎の料金の決済に関する処理を行う決済処理用のサーバ等が設けられている。
【０１２３】
このような本実施形態においては、以下のようにして車載システム１０により、自動車を運転するユーザまたは同乗するユーザに対し、カーナビゲーションサービス、コンテンツ呈示サービス、有料道路等の自動料金収受サービスの提供が行われる。
【０１２４】
＜カーナビゲーションサービス＞
先ず、ユーザは、図３に示すように、携帯電話機保持手段５６により、非接触ＩＣモジュール３０を内蔵した携帯電話機２０を補助端末装置５０に固定する。これにより、携帯電話機２０は、リーダ／ライタ６０に対して一定の姿勢を保った状態で保持され、携帯電話機２０の非接触ＩＣモジュール３０のアンテナ３１と、リーダ／ライタ６０のアンテナ６１とは所定の距離間隔に保持される。
【０１２５】
そして、ユーザは、携帯電話機２０でナビゲーション処理手段４１により目的地の設定を行い、目的地情報を通信網５を介してナビゲーションセンタ装置１４０（図１参照）に送信して登録しておく。
【０１２６】
この状態で、図４に示すように、補助端末装置５０から携帯電話機２０へ、一定の時間間隔で次々に自動車の現在位置情報が供給されると、携帯電話機２０で経路情報の取得処理およびナビゲーション画面の表示処理が行われる。すなわち、図４において、ＧＰＳアンテナ８２でＧＰＳ衛星８３（図１参照）からのＧＰＳ信号を受信し、これをＧＰＳチューナ８１に送信する（ステップＳ１）。ＧＰＳチューナ８１は、受信したＧＰＳ信号を変換し、現在位置情報として緯度・経度情報および速度や方位等の情報を現在位置情報供給手段７１に送り（ステップＳ２）、現在位置情報供給手段７１は、リーダ／ライタ６０を用いて現在位置情報を携帯電話機２０へ送信する（ステップＳ３）。すると、現在位置情報は、リーダ／ライタ６０のＲ／Ｗコントローラ６２からアンテナ６１へ送られ（ステップＳ４）、このアンテナ６１から携帯電話機２０の非接触ＩＣモジュール３０のアンテナ３１へ無線送信され（ステップＳ５）、さらにＲ／Ｗコントローラ３３へ送られ（ステップＳ６）、メモリ３４からなる現在位置情報記憶手段３５に書き込まれる（ステップＳ７）。
【０１２７】
続いて、ナビゲーション処理手段４１により、現在位置情報記憶手段３５から現在位置情報を読み込み、これを通信網５を介してナビゲーションセンタ装置１４０（図１参照）に送信し、ナビゲーションセンタ装置１４０の経路情報算出用のサーバにより算出されて通信網５を介して送信されてくる経路情報を受信し、これをメモリ４６（図２参照）に記憶しておく（ステップＳ８）。
【０１２８】
その後、前述したステップＳ１〜Ｓ７と同様な現在位置情報の供給が行われるので、ナビゲーション処理手段４１により、現在位置情報記憶手段３５から現在位置情報を読み込み、この現在位置情報とメモリ４６（図２参照）に記憶された経路情報とを用いてナビゲーション画面の表示処理を行う（ステップＳ９）。そして、以降、ステップＳ１〜Ｓ７と同様な現在位置情報の供給処理と、ステップＳ９と同様なナビゲーション画面の表示処理とが繰り返される。
【０１２９】
＜コンテンツ呈示サービス＞
図５において、携帯電話機２０の補助端末装置５０への固定が済んでいるものとすると、先ず、ユーザは、携帯電話機２０を操作し、電子マネーチャージ手段４２Ａにより、コンテンツ管理センタ装置１５０にアクセスして電子マネーを購入する（ステップＳ２１）。電子マネーチャージ手段４２Ａは、購入された電子マネーを、メモリ３４からなる電子マネー情報記憶手段３６Ａに書き込んでチャージする（ステップＳ２２）。
【０１３０】
続いて、ユーザがコンテンツ呈示システム１２０を操作して自分の利用したいコンテンツ（例えば、自分の聞きたい音楽、自分の見たい画像や映像等）を選択すると、選択入力受付手段１２１（図１参照）により、この選択入力が受け付けられ（ステップＳ２３）、選択されたコンテンツまたはコンテンツ群についての利用料情報がコンテンツ記憶手段１２３から取得され（ステップＳ２４）、取得された利用料情報が選択コンテンツ情報送信手段７２Ａに送信される（ステップＳ２５）。なお、ユーザによる選択は、例えば、コンテンツが音楽の場合には、１曲を単位として行ってもよく、複数曲の集合として予め定められたコンテンツ群を単位として（例えば、レコード単位等で）行ってもよく、その場で複数曲をランダムに指定して集合させることにより形成されたコンテンツ群を単位として行ってもよい。また、利用料情報の他に、コンテンツ制作者（例えば、レコード会社等）の識別情報が、コンテンツと対応した状態でコンテンツ記憶手段１２３に記憶されている場合には、利用料情報とコンテンツ制作者の識別情報とを選択コンテンツ情報送信手段７２Ａに送信してもよい。
【０１３１】
選択コンテンツ情報送信手段７２Ａは、リーダ／ライタ６０を用いて利用料情報（コンテンツ制作者の識別情報が付加されていてもよい。）を携帯電話機２０へ送信する（ステップＳ２６）。すると、利用料情報は、リーダ／ライタ６０のＲ／Ｗコントローラ６２からアンテナ６１へ送られ（ステップＳ２７）、このアンテナ６１から携帯電話機２０の非接触ＩＣモジュール３０のアンテナ３１へ無線送信され（ステップＳ２８）、さらにＲ／Ｗコントローラ３３へ送られ（ステップＳ２９）、メモリ３４からなる選択コンテンツ情報記憶手段３６Ｂに書き込まれる（ステップＳ３０）。
【０１３２】
それから、携帯電話機２０では、利用可否判断手段４２Ｂにより、選択コンテンツ情報記憶手段３６Ｂに書き込まれた利用料情報（コンテンツ制作者の識別情報が付加されていてもよい。）を読み込むとともに（ステップＳ３１）、電子マネー情報記憶手段３６Ａに記憶されている電子マネーの残高情報を読み込み（ステップＳ３２）、これらの利用料情報と残高情報とを比較し、選択されたコンテンツまたはコンテンツ群を利用するのに残高が足りるか否かを判断し（ステップＳ３３）、その判断結果をメモリ３４からなる判断結果記憶手段３６Ｃに書き込む（ステップＳ３４）。
【０１３３】
続いて、補助端末装置５０の判断結果伝達手段７２Ｂにより、リーダ／ライタ６０を用いて判断結果を携帯電話機２０から読み取る。すると、判断結果は、判断結果記憶手段３６ＣからＲ／Ｗコントローラ３３へ送られ（ステップＳ３５）、Ｒ／Ｗコントローラ３３からアンテナ３１に送られ（ステップＳ３６）、このアンテナ３１からリーダ／ライタ６０のアンテナ６１へ無線送信され（ステップＳ３７）、さらにＲ／Ｗコントローラ６２へ送られ（ステップＳ３８）、判断結果伝達手段７２Ｂで取得される（ステップＳ３９）。
【０１３４】
判断結果伝達手段７２Ｂは、取得した判断結果をコンテンツ呈示システム１２０のコンテンツ呈示手段１２２（図１参照）に送信する（ステップＳ４０）。そして、コンテンツ呈示手段１２２は、判断結果伝達手段７２Ｂからコンテンツ利用可能という判断結果を受信した場合にのみ、ユーザに対し、コンテンツ記憶手段１２３に記憶された当該コンテンツを呈示するための出力処理（再生処理）を行う（ステップＳ４１）。例えば、コンテンツが音楽である場合には、その音楽を再生し、スピーカやイヤホンで出力する処理を行う。
【０１３５】
また、このコンテンツ呈示処理と並行して、利用可否判断手段４２Ｂによる判断結果がコンテンツ利用可能という結果であった場合には、携帯電話機２０で、課金処理手段４２Ｃにより、現在の残高から今回の利用料を差し引く課金処理を行い（ステップＳ４２）、新たに算出した更新後の残高情報を電子マネー情報記憶手段３６Ａに書き込む（ステップＳ４３）。
【０１３６】
なお、課金処理手段４２Ｃは、利用可否判断手段４２Ｂによる判断結果がコンテンツ利用可能という結果であった場合において、利用料情報に付加してコンテンツ制作者の識別情報がコンテンツ呈示システム１２０から送信されてきているときには、利用されたコンテンツについてのコンテンツ制作者の識別情報を、利用料情報またはその代替情報とともに、逐次、あるいは集計してから、通信網５を介してコンテンツ管理センタ装置１５０（図１参照）に送信する処理を行ってもよい。これにより、例えば、コンテンツ記憶手段１２３に複数のコンテンツ制作者のコンテンツが記憶されている場合には、複数のコンテンツ制作者間での利用料収入の分配を行うことができる。また、電子マネーチャージ手段４２Ａにより購入される電子マネーを、各コンテンツ制作者毎の電子マネーとし、利用されるコンテンツのコンテンツ制作者に応じ、課金処理の対象とする電子マネーを切り替えてもよい。
【０１３７】
＜有料道路等の自動料金収受サービス＞
図６において、携帯電話機２０の補助端末装置５０への固定が済んでいるものとすると、先ず、ユーザは、携帯電話機２０を操作し、ＥＴＣ情報設定手段４３により、ＥＴＣ管理センタ装置１６０（図１参照）にアクセスし、ＩＤ情報の登録手続を行うとともに（ステップＳ５１）、ＩＤ情報をメモリ３４からなるＥＴＣ情報記憶手段３７に書き込む（ステップＳ５２）。
【０１３８】
続いて、ユーザが運転または同乗している自動車が入口料金所を通過する際には、入口料金所に設けられた路側アンテナ１３０から無線送信されてくる入口情報がＥＴＣアンテナ９２で受信される（ステップＳ５３）。この入口情報は、ＥＴＣアンテナ９２からＥＴＣチューナ９１へ送られ（ステップＳ５４）、ＥＴＣチューナ９１の変換処理を経て料金収受処理手段７３に送られる（ステップＳ５５）。
【０１３９】
それから、料金収受処理手段７３は、リーダ／ライタ６０を用いて入口情報を携帯電話機２０へ送信する（ステップＳ５６）。すると、入口情報は、リーダ／ライタ６０のＲ／Ｗコントローラ６２からアンテナ６１へ送られ（ステップＳ５７）、このアンテナ６１から携帯電話機２０の非接触ＩＣモジュール３０のアンテナ３１へ無線送信され（ステップＳ５８）、さらにＲ／Ｗコントローラ３３へ送られ（ステップＳ５９）、メモリ３４からなるＥＴＣ情報記憶手段３７に書き込まれる（ステップＳ６０）。
【０１４０】
その後、ユーザが運転または同乗している自動車が出口料金所を通過する際には、出口料金所に設けられた路側アンテナ１３０から無線送信されてくる入口情報やＩＤ情報の要求信号がＥＴＣアンテナ９２で受信される（ステップＳ６１）。この要求信号は、ＥＴＣアンテナ９２からＥＴＣチューナ９１へ送られ（ステップＳ６２）、ＥＴＣチューナ９１の変換処理を経て料金収受処理手段７３に送られる（ステップＳ６３）。
【０１４１】
料金収受処理手段７３は、要求信号を受け取ると、リーダ／ライタ６０を用いて入口情報およびＩＤ情報を携帯電話機２０から読み取る処理を行う。すると、入口情報およびＩＤ情報は、ＥＴＣ情報記憶手段３７からＲ／Ｗコントローラ３３へ送られ（ステップＳ６４）、Ｒ／Ｗコントローラ３３からアンテナ３１に送られ（ステップＳ６５）、このアンテナ３１からリーダ／ライタ６０のアンテナ６１へ無線送信され（ステップＳ６６）、さらにＲ／Ｗコントローラ６２へ送られ（ステップＳ６７）、料金収受処理手段７３で取得される（ステップＳ６８）。
【０１４２】
そして、料金収受処理手段７３が、取得した入口情報およびＩＤ情報をＥＴＣチューナ９１へ送ると（ステップＳ６９）、これらの入口情報およびＩＤ情報は、ＥＴＣチューナ９１の変換処理を経てＥＴＣアンテナ９２へ送られ（ステップＳ７０）、さらにＥＴＣアンテナ９２から出口料金所に設けられた路側アンテナ１３０に無線送信される（ステップＳ７１）。
【０１４３】
続いて、出口料金所では、路側アンテナ１３０により入口情報およびＩＤ情報を受信すると、入口情報を用いて料金所装置１３１（図１参照）で料金の算出処理を行い、算出した料金情報を路側アンテナ１３０からＥＴＣアンテナ９２へ無線送信する（ステップＳ７２）。
【０１４４】
そして、ＥＴＣアンテナ９２で受信された料金情報は、ＥＴＣアンテナ９２からＥＴＣチューナ９１へ送られ（ステップＳ７３）、ＥＴＣチューナ９１の変換処理を経て料金収受処理手段７３に送られる（ステップＳ７４）。
【０１４５】
それから、料金収受処理手段７３は、リーダ／ライタ６０を用いて料金情報を携帯電話機２０へ送信する（ステップＳ７５）。すると、料金情報は、リーダ／ライタ６０のＲ／Ｗコントローラ６２からアンテナ６１へ送られ（ステップＳ７６）、このアンテナ６１から携帯電話機２０の非接触ＩＣモジュール３０のアンテナ３１へ無線送信され（ステップＳ７７）、さらにＲ／Ｗコントローラ３３へ送られ（ステップＳ７８）、メモリ３４からなるＥＴＣ情報記憶手段３７に書き込まれる（ステップＳ７９）。また、料金収受処理手段７３は、料金情報の携帯電話機２０への送信と併せて、ユーザに対し、「料金は〜円です。」等の音声出力による告知を行ってもよい。
【０１４６】
なお、料金所装置１３１で算出された料金情報およびこの料金の支払者を特定するためのＩＤ情報は、図１に示すように、料金所装置１３１からネットワークまたは専用線を介してＥＴＣ管理センタ装置１６０に送信され、料金の決済に関する処理が行われる。なお、料金の決済に関する処理は、携帯電話機２０の通信機能（非接触ＩＣモジュール３０による近接非接触通信機能ではない。）を用いて通信網５を介してＥＴＣ管理センタ装置１６０に料金情報およびＩＤ情報を送信することにより行ってもよい。
【０１４７】
このような本実施形態によれば、次のような効果がある。すなわち、車載システ１０には、携帯電話機保持手段５６（図３参照）が設けられているので、非接触ＩＣモジュール３０を内蔵した携帯電話機２０を、リーダ／ライタ６０に対して一定の姿勢を保った状態で保持することがきできる。
【０１４８】
従って、携帯電話機２０の非接触ＩＣモジュール３０のアンテナ３１と、リーダ／ライタ６０のアンテナ６１とが、所定の距離間隔に保たれた状態で保持されるので、カーナビゲーションサービスについては、非接触ＩＣによる通信機能を利用して、携帯電話機２０への現在位置情報の継続的な供給を実現することができるとともに、次々に供給されてくる最新の現在位置情報を用いて携帯電話機２０でナビゲーション画面の表示処理を行うことができる。
【０１４９】
また、コンテンツ呈示サービスや有料道路等の自動料金収受サービスについても、同様に非接触ＩＣによる通信機能を利用して、各処理に必要な情報の送受信を行うことができる。
【０１５０】
このため、ユーザが非接触ＩＣモジュール３０を内蔵した携帯電話機２０を所持している場合には、その携帯電話機２０の既存の機能を利用して、カーナビゲーション、コンテンツ呈示、自動料金収受を行う各システムを実現することができるので便利であり、携帯電話機２０の機能を向上させることができるとともに、ユーザにとって使い勝手のよい車載システム１０を実現することができる。
【０１５１】
なお、本発明は前記実施形態に限定されるものではなく、本発明の目的を達成できる範囲内での変形等は本発明に含まれるものである。
【０１５２】
すなわち、前記実施形態では、図５に示すように、コンテンツ利用可否の判断処理および課金処理を携帯電話機２０で行う構成とされていたが、図７に示すように、これらの処理を、携帯電話機２２０ではなく、補助端末装置２５０で行う構成としてもよい。
【０１５３】
図７において、携帯電話機側コンテンツ呈示サービス処理手段２４０には、電子マネーチャージ手段２４１が設けられているが、利用可否判断手段および課金処理手段は、設けられていない。一方、補助端末装置側コンテンツ呈示サービス処理手段２７０には、電子マネー情報取得手段２７１と、利用可否判断手段２７２と、課金処理手段２７３とが設けられている。
【０１５４】
携帯電話機２２０の補助端末装置２５０への固定が済んでいるものとすると、先ず、ユーザは、携帯電話機２２０を操作し、電子マネーチャージ手段２４１により、コンテンツ管理センタ装置１５０（図１参照）にアクセスして電子マネーを購入する（ステップＳ２０１）。電子マネーチャージ手段２４１は、購入された電子マネーを、メモリ３４からなる電子マネー情報記憶手段２３０に書き込んでチャージする（ステップＳ２０２）。
【０１５５】
続いて、ユーザがコンテンツ呈示システム１２０を操作して自分の利用したいコンテンツ（例えば、自分の聞きたい音楽、自分の見たい画像や映像等）を選択すると、選択入力受付手段１２１（図１参照）により、この選択入力が受け付けられ（ステップＳ２０３）、選択されたコンテンツまたはコンテンツ群についての利用料情報がコンテンツ記憶手段１２３から取得され（ステップＳ２０４）、取得された利用料情報が利用可否判断手段２７２に送信される（ステップＳ２０５）。
【０１５６】
利用可否判断手段２７２が利用料情報を受信すると、電子マネー情報取得手段２７１により、リーダ／ライタ６０を用いて電子マネーの残高情報を携帯電話機２２０から取得する処理が行われる。すると、電子マネーの残高情報は、電子マネー情報記憶手段２３０からＲ／Ｗコントローラ３３へ送られ（ステップＳ２０６）、Ｒ／Ｗコントローラ３３からアンテナ３１に送られ（ステップＳ２０７）、このアンテナ３１からリーダ／ライタ６０のアンテナ６１へ無線送信され（ステップＳ２０８）、さらにＲ／Ｗコントローラ６２へ送られ（ステップＳ２０９）、電子マネー情報取得手段２７１で取得される（ステップＳ２１０）。
【０１５７】
それから、利用可否判断手段２７２により、コンテンツ呈示システム１２０から受信した利用料情報と、電子マネー情報取得手段２７１により取得した電子マネーの残高情報とを比較し、選択されたコンテンツまたはコンテンツ群を利用するのに残高が足りるか否かを判断し（ステップＳ２１１）、その判断結果をコンテンツ呈示システム１２０のコンテンツ呈示手段１２２（図１参照）に送信する（ステップＳ２１２）。そして、コンテンツ呈示手段１２２は、利用可否判断手段２７２からコンテンツ利用可能という判断結果を受信した場合にのみ、ユーザに対し、コンテンツ記憶手段１２３に記憶された当該コンテンツを呈示するための出力処理（再生処理）を行う（ステップＳ２１３）。
【０１５８】
また、このコンテンツ呈示処理と並行して、利用可否判断手段２７２による判断結果がコンテンツ利用可能という結果であった場合には、課金処理手段２７３により、現在の残高から今回の利用料を差し引く課金処理を行い（ステップＳ２１４）、新たに算出した更新後の残高情報を、リーダ／ライタ６０を用いて携帯電話機２２０に送信する処理を行う（ステップＳ２１５）。すると、更新後の残高情報は、リーダ／ライタ６０のＲ／Ｗコントローラ６２からアンテナ６１へ送られ（ステップＳ２１６）、このアンテナ６１から携帯電話機２２０の非接触ＩＣモジュール３０のアンテナ３１へ無線送信され（ステップＳ２１７）、さらにＲ／Ｗコントローラ３３へ送られ（ステップＳ２１８）、メモリ３４からなる電子マネー情報記憶手段２３０に書き込まれる（ステップＳ２１９）。
【０１５９】
また、前記実施形態では、図５に示すように、利用した分だけ課金される構成とされていたが、図８に示すように、解除キーを購入する構成としてもよい。
【０１６０】
図８において、携帯電話機３２０の非接触ＩＣモジュール３０のメモリ３４により、コンテンツを利用するために予め購入された解除キーを記憶する解除キー記憶手段３３０が構成されている。また、携帯電話機側コンテンツ呈示サービス処理手段３４０には、電子マネーチャージ手段ではなく、解除キー購入手段３４１が設けられている。この解除キー購入手段３４１は、コンテンツ管理センタ装置１５０（図１参照）にアクセスし、ユーザが利用したいコンテンツまたはコンテンツ群を利用可能にするための解除キー（有効期限のある解除キーでもよい。）を購入する手続を支援し、購入した解除キーを解除キー記憶手段３３０に書き込む処理を行うものである。一方、補助端末装置側コンテンツ呈示サービス処理手段３７０には、解除キー取得手段３７１が設けられている。この解除キー取得手段３７１は、解除キー記憶手段３３０に記憶された解除キーを携帯電話機３２０から取得してコンテンツ呈示システム３８０に送信する処理を行うものである。さらに、コンテンツ呈示システム３８０のコンテンツ記憶手段３８１には、前記実施形態とは異なり、利用料情報を記憶させておく必要はない。
【０１６１】
携帯電話機３２０の補助端末装置３５０への固定が済んでいるものとすると、先ず、ユーザは、携帯電話機３２０を操作し、解除キー購入手段３４１により、コンテンツ管理センタ装置１５０（図１参照）にアクセスし、利用したいコンテンツまたはコンテンツ群についての解除キーを購入する（ステップＳ３０１）。解除キー購入手段３４１は、購入された解除キーおよびこの解除キーにより利用可能になるコンテンツまたはコンテンツ群についてのコンテンツ識別情報を、メモリ３４からなる解除キー記憶手段３３０に書き込む（ステップＳ３０２）。
【０１６２】
続いて、コンテンツ呈示システム３８０から、自動的に（例えば、電源投入時等に）、またはユーザの解除キー取得操作に基づき、購入された解除キーの取得要求信号が補助端末装置３５０の解除キー取得手段３７１に送信される（ステップＳ３０３）。解除キー取得手段３７１は、要求信号を受信すると、リーダ／ライタ６０を用いて解除キーおよびそれに対応するコンテンツ識別情報を携帯電話機３２０から取得する処理を行う。すると、解除キーおよびそれに対応するコンテンツ識別情報は、解除キー記憶手段３３０からＲ／Ｗコントローラ３３へ送られ（ステップＳ３０４）、Ｒ／Ｗコントローラ３３からアンテナ３１に送られ（ステップＳ３０５）、このアンテナ３１からリーダ／ライタ６０のアンテナ６１へ無線送信され（ステップＳ３０６）、さらにＲ／Ｗコントローラ６２へ送られ（ステップＳ３０７）、解除キー取得手段３７１で取得される（ステップＳ３０８）。
【０１６３】
その後、解除キー取得手段３７１は、取得した解除キーおよびそれに対応するコンテンツ識別情報をコンテンツ呈示システム３８０のコンテンツ呈示手段に送信する（ステップＳ３０９）。コンテンツ呈示システム３８０では、既に解除キーを受け取っている状態で、ユーザによるコンテンツまたはコンテンツ群の選択を受け付ける（ステップＳ３１０）。そして、コンテンツ呈示手段は、ユーザによるコンテンツまたはコンテンツ群の利用要求に対し、この利用要求に係るコンテンツまたはコンテンツ群が、解除キー取得手段３７１から既に受け取っている解除キーに対応するコンテンツまたはコンテンツ群に含まれる場合に、コンテンツ記憶手段３８１に記憶された当該利用要求に係るコンテンツまたはコンテンツ群をユーザに呈示するための出力処理（再生処理）を行う（ステップＳ３１１）。
【０１６４】
また、上述した図８の例では、ユーザによる選択入力の受付前に解除キーをコンテンツ呈示システム３８０のコンテンツ呈示手段に送信する構成とされていたが、図９に示すように、ユーザによる選択入力の受付後に、補助端末装置４５０で携帯電話機４２０に記憶された解除キーの中から、利用対象のコンテンツまたはコンテンツ群に対応する解除キーを検索し、取得する構成としてもよい。
【０１６５】
図９において、携帯電話機４２０の非接触ＩＣモジュール３０のメモリ３４により、解除キー記憶手段４３０が構成されている。また、携帯電話機側コンテンツ呈示サービス処理手段４４０には、解除キー購入手段４４１が設けられている。一方、補助端末装置側コンテンツ呈示サービス処理手段４７０には、解除キー検索手段４７１が設けられている。この解除キー検索手段４７１は、コンテンツ呈示システム４８０の選択入力受付手段により受け付けたユーザの利用対象のコンテンツまたはコンテンツ群についてのコンテンツ識別情報をキーとして、解除キー記憶手段４３０に記憶された解除キーの中に、ユーザの利用対象のコンテンツまたはコンテンツ群に対応する解除キーが存在するか否かを検索し、検索して得られた解除キーをコンテンツ呈示システム４８０のコンテンツ呈示手段に送信する処理を行うものである。さらに、コンテンツ記憶手段４８１は、複数のコンテンツとこれらの各コンテンツを識別するためのコンテンツ識別情報とを対応させて記憶している。
【０１６６】
携帯電話機４２０の補助端末装置４５０への固定が済んでいるものとすると、先ず、ユーザは、携帯電話機４２０を操作し、解除キー購入手段４４１により、コンテンツ管理センタ装置１５０（図１参照）にアクセスし、利用したいコンテンツまたはコンテンツ群についての解除キーを購入する（ステップＳ４０１）。解除キー購入手段４４１は、購入された解除キーおよびこの解除キーにより利用可能になるコンテンツまたはコンテンツ群についてのコンテンツ識別情報を、メモリ３４からなる解除キー記憶手段４３０に書き込む（ステップＳ４０２）。
【０１６７】
続いて、コンテンツ呈示システム４８０で、選択入力受付手段により、ユーザによるコンテンツまたはコンテンツ群の選択を受け付け（ステップＳ４０３）、受け付けたコンテンツまたはコンテンツ群についてのコンテンツ識別情報をコンテンツ記憶手段４８１から取得し、このコンテンツ識別情報を解除キー検索手段４７１に送信する（ステップＳ４０４）。
【０１６８】
解除キー検索手段４７１は、コンテンツ識別情報を受信すると、リーダ／ライタ６０を用いて携帯電話機４２０の解除キー記憶手段４３０に記憶された解除キーの中から、コンテンツ呈示システム４８０から受信したコンテンツ識別情報に対応する解除キーを検索する（ステップＳ４０５）。この際、解除キーおよびそれに対応するコンテンツ識別情報は、解除キー記憶手段４３０からＲ／Ｗコントローラ３３へ送られ（ステップＳ４０６）、Ｒ／Ｗコントローラ３３からアンテナ３１に送られ（ステップＳ４０７）、このアンテナ３１からリーダ／ライタ６０のアンテナ６１へ無線送信され（ステップＳ４０８）、さらにＲ／Ｗコントローラ６２へ送られ（ステップＳ４０９）、解除キー検索手段４７１により読み取られる（ステップＳ４１０）。そして、解除キー検索手段４７１は、コンテンツ呈示システム４８０から受信したコンテンツ識別情報と同一のコンテンツ識別情報を解除キー記憶手段４３０から読み取ったときに、そのコンテンツ識別情報に対応する解除キーを目的の解除キーとし、コンテンツ呈示システム４８０のコンテンツ呈示手段に送信する（ステップＳ４１１）。
【０１６９】
その後、コンテンツ呈示システム４８０では、目的の解除キーを受信した場合にのみ、コンテンツ呈示手段により、その解除キーを用いてコンテンツ記憶手段４８１に記憶された当該利用要求に係るコンテンツまたはコンテンツ群をユーザに呈示するための出力処理（再生処理）を行う（ステップＳ４１２）。
【０１７０】
また、上述した図９の例では、補助端末装置４５０で携帯電話機４２０に記憶された解除キーの中から、利用対象のコンテンツまたはコンテンツ群に対応する解除キーを検索する構成とされていたが、図１０に示すように、携帯電話機５２０で携帯電話機５２０に記憶された解除キーの中から、利用対象のコンテンツまたはコンテンツ群に対応する解除キーを検索する構成としてもよい。
【０１７１】
図１０において、携帯電話機５２０の非接触ＩＣモジュール３０のメモリ３４により、選択コンテンツ情報記憶手段５３０および利用解除キー記憶手段５３１が構成され、携帯電話機５２０のメモリ４６（図２参照）により、購入解除キー記憶手段５４６が構成されている。また、携帯電話機側コンテンツ呈示サービス処理手段５４０には、解除キー購入手段５４１と、解除キー検索手段５４２が設けられている。この解除キー検索手段５４２は、選択コンテンツ記憶手段５３０に記憶されたコンテンツ識別情報をキーとして、購入解除キー記憶手段５４６に記憶された解除キーの中に、ユーザの利用対象のコンテンツまたはコンテンツ群に対応する解除キーが存在するか否かを検索する処理を行うものである。一方、補助端末装置側コンテンツ呈示サービス処理手段５７０には、選択コンテンツ情報送信手段５７１と、解除キー取得手段５７２とが設けられているが、解除キー検索手段は設けられていない。さらに、コンテンツ記憶手段５８１は、複数のコンテンツとこれらの各コンテンツを識別するためのコンテンツ識別情報とを対応させて記憶している。
【０１７２】
携帯電話機５２０の補助端末装置５５０への固定が済んでいるものとすると、先ず、ユーザは、携帯電話機５２０を操作し、解除キー購入手段５４１により、コンテンツ管理センタ装置１５０（図１参照）にアクセスし、利用したいコンテンツまたはコンテンツ群についての解除キーを購入する（ステップＳ５０１）。解除キー購入手段５４１は、購入された解除キーおよびこの解除キーにより利用可能になるコンテンツまたはコンテンツ群についてのコンテンツ識別情報を、メモリ４６からなる購入解除キー記憶手段５４６に書き込む（ステップＳ５０２）。なお、購入された解除キーおよびこれに対応するコンテンツ識別情報を記憶する購入解除キー記憶手段は、メモリ４６ではなく、非接触ＩＣモジュール３０のメモリ３４により構成してもよく、この際には、メモリ３４において、購入解除キー記憶手段の領域は、利用解除キー記憶手段５３１の領域とは別の領域とする。
【０１７３】
続いて、コンテンツ呈示システム５８０で、選択入力受付手段により、ユーザによるコンテンツまたはコンテンツ群の選択を受け付け（ステップＳ５０３）、受け付けたコンテンツまたはコンテンツ群についてのコンテンツ識別情報をコンテンツ記憶手段５８１から取得し、このコンテンツ識別情報を選択コンテンツ情報送信手段５７１に送信する（ステップＳ５０４）。
【０１７４】
選択コンテンツ情報送信手段５７１は、コンテンツ識別情報を受信すると、このコンテンツ識別情報をリーダ／ライタ６０を用いて携帯電話機５２０に送信する処理を行う（ステップＳ５０５）。すると、コンテンツ識別情報は、リーダ／ライタ６０のＲ／Ｗコントローラ６２からアンテナ６１へ送られ（ステップＳ５０６）、このアンテナ６１から携帯電話機５２０の非接触ＩＣモジュール３０のアンテナ３１へ無線送信され（ステップＳ５０７）、さらにＲ／Ｗコントローラ３３へ送られ（ステップＳ５０８）、メモリ３４からなる選択コンテンツ情報記憶手段５３０に書き込まれる（ステップＳ５０９）。
【０１７５】
それから、携帯電話機５２０では、解除キー検索手段５４２により、選択コンテンツ情報記憶手段５３０からコンテンツ識別情報を読み込み（ステップＳ５１０）、このコンテンツ識別情報をキーとして、購入解除キー記憶手段５４６に記憶された解除キーの中から、コンテンツ呈示システム５８０から受信したコンテンツ識別情報に対応する解除キーを検索する（ステップＳ５１１）。この際、解除キー検索手段５４２は、選択コンテンツ情報記憶手段５３０から読み込んだコンテンツ識別情報と同一のコンテンツ識別情報を購入解除キー記憶手段５４６から読み取ったときに（ステップＳ５１２）、そのコンテンツ識別情報に対応する解除キーを目的の解除キーとし、この解除キーをメモリ３４からなる利用解除キー記憶手段５３１に書き込む（ステップＳ５１３）。
【０１７６】
続いて、補助端末装置５５０の解除キー取得手段５７２により、リーダ／ライタ６０を用いて携帯電話機５２０の利用解除キー記憶手段５３１から目的の解除キーを取得する処理を行う。すると、目的の解除キーは、利用解除キー記憶手段５３１からＲ／Ｗコントローラ３３へ送られ（ステップＳ５１４）、Ｒ／Ｗコントローラ３３からアンテナ３１に送られ（ステップＳ５１５）、このアンテナ３１からリーダ／ライタ６０のアンテナ６１へ無線送信され（ステップＳ５１６）、さらにＲ／Ｗコントローラ６２へ送られ（ステップＳ５１７）、解除キー取得手段５７２により読み取られる（ステップＳ５１８）。そして、解除キー取得手段５７２は、読み取った解除キーをコンテンツ呈示システム５８０のコンテンツ呈示手段に送信する（ステップＳ５１９）。
【０１７７】
その後、コンテンツ呈示システム５８０では、目的の解除キーを受信した場合にのみ、コンテンツ呈示手段により、その解除キーを用いてコンテンツ記憶手段５８１に記憶された当該利用要求に係るコンテンツまたはコンテンツ群をユーザに呈示するための出力処理（再生処理）を行う（ステップＳ５２０）。
【０１７８】
また、前記実施形態では、図６に示すように、入口情報を携帯電話機２０に記憶する構成とされていたが、図１１に示すように、入口情報を補助端末装置６５０に記憶する構成としてもよい。
【０１７９】
図１１において、携帯電話機６２０の補助端末装置６５０への固定が済んでいるものとすると、先ず、ユーザは、携帯電話機６２０を操作し、ＥＴＣ情報設定手段４３により、ＥＴＣ管理センタ装置１６０（図１参照）にアクセスし、ＩＤ情報の登録手続を行うとともに（ステップＳ６０１）、ＩＤ情報をメモリ３４からなるＥＴＣ情報記憶手段６３７に書き込む（ステップＳ６０２）。
【０１８０】
続いて、ユーザが運転または同乗している自動車が入口料金所を通過する際には、入口料金所に設けられた路側アンテナ１３０から無線送信されてくる入口情報がＥＴＣアンテナ９２で受信される（ステップＳ６０３）。この入口情報は、ＥＴＣアンテナ９２からＥＴＣチューナ９１へ送られ（ステップＳ６０４）、ＥＴＣチューナ９１の変換処理を経て料金収受処理手段６７３に送られ（ステップＳ６０５）、料金収受処理手段６７３により、補助端末装置６５０のメモリ７６（図２参照）に書き込まれる（ステップＳ６０６）。
【０１８１】
その後、ユーザが運転または同乗している自動車が出口料金所を通過する際には、出口料金所に設けられた路側アンテナ１３０から無線送信されてくる入口情報やＩＤ情報の要求信号がＥＴＣアンテナ９２で受信される（ステップＳ６０７）。この要求信号は、ＥＴＣアンテナ９２からＥＴＣチューナ９１へ送られ（ステップＳ６０８）、ＥＴＣチューナ９１の変換処理を経て料金収受処理手段６７３に送られる（ステップＳ６０９）。
【０１８２】
料金収受処理手段６７３は、要求信号を受け取ると、リーダ／ライタ６０を用いてＩＤ情報を携帯電話機６２０から読み取る処理を行う。すると、ＩＤ情報は、ＥＴＣ情報記憶手段６３７からＲ／Ｗコントローラ３３へ送られ（ステップＳ６１０）、Ｒ／Ｗコントローラ３３からアンテナ３１に送られ（ステップＳ６１１）、このアンテナ３１からリーダ／ライタ６０のアンテナ６１へ無線送信され（ステップＳ６１２）、さらにＲ／Ｗコントローラ６２へ送られ（ステップＳ６１３）、料金収受処理手段６７３に読み取られる（ステップＳ６１４）。また、料金収受処理手段６７３は、メモリ７６から入口情報を読み込む（ステップＳ６１５）。
【０１８３】
なお、携帯電話機６２０からのＩＤ情報の読取処理は、出口料金所に到着する前に行ってもよく、この場合には、料金収受処理手段６７３によりＩＤ情報をＥＴＣ情報記憶手段６３７から予め読み取ってメモリ７６に記憶しておき、出口料金所で要求信号を受け取ったときに、料金収受処理手段６７３により、メモリ７６から入口情報およびＩＤ情報を読み込むようにすればよい。
【０１８４】
そして、料金収受処理手段６７３が、入口情報およびＩＤ情報をＥＴＣチューナ９１へ送ると（ステップＳ６１６）、これらの入口情報およびＩＤ情報は、ＥＴＣチューナ９１の変換処理を経てＥＴＣアンテナ９２へ送られ（ステップＳ６１７）、さらにＥＴＣアンテナ９２から出口料金所に設けられた路側アンテナ１３０に無線送信される（ステップＳ６１８）。
【０１８５】
続いて、出口料金所では、路側アンテナ１３０により入口情報およびＩＤ情報を受信すると、入口情報を用いて料金所装置１３１（図１参照）で料金の算出処理を行い、算出した料金情報を路側アンテナ１３０からＥＴＣアンテナ９２へ無線送信する（ステップＳ６１９）。
【０１８６】
そして、ＥＴＣアンテナ９２で受信された料金情報は、ＥＴＣアンテナ９２からＥＴＣチューナ９１へ送られ（ステップＳ６２０）、ＥＴＣチューナ９１の変換処理を経て料金収受処理手段６７３に送られる（ステップＳ６２１）。
【０１８７】
それから、料金収受処理手段６７３は、リーダ／ライタ６０を用いて料金情報を携帯電話機６２０へ送信する（ステップＳ６２２）。すると、料金情報は、リーダ／ライタ６０のＲ／Ｗコントローラ６２からアンテナ６１へ送られ（ステップＳ６２３）、このアンテナ６１から携帯電話機６２０の非接触ＩＣモジュール３０のアンテナ３１へ無線送信され（ステップＳ６２４）、さらにＲ／Ｗコントローラ３３へ送られ（ステップＳ６２５）、メモリ３４からなるＥＴＣ情報記憶手段６３７に書き込まれる（ステップＳ６２６）。
【０１８８】
また、前記実施形態では、コンテンツ呈示システム１２０と補助端末装置５０とが別体の機器とされていたが、コンテンツ呈示システム１２０のコンテンツ呈示手段１２２の機能を補助端末装置５０内に設け、コンテンツ呈示システム１２０と補助端末装置５０とを一体化してもよい。
【０１８９】
さらに、前記実施形態では、ＧＰＳチューナ８１やＥＴＣチューナ９１は、補助端末装置５０に内蔵されていたが、これらは補助端末装置５０の外部に出して別体の機器としてもよい。
【産業上の利用可能性】
【０１９０】
以上のように、本発明の移動体搭乗者向けサービス提供システムは、例えば、自動車や自転車等を誘導するナビゲーションサービス、音楽や映像等の各種コンテンツを呈示するコンテンツ呈示サービス、有料道路またはこれに類する設備の自動料金収受サービス、あるいはこれらのサービスを含む複合的なサービスを行うシステムに用いるのに適している。
【図面の簡単な説明】
【０１９１】
【図１】本発明の一実施形態の自動車搭載用の車載システムの全体構成図。
【図２】前記実施形態の車載システムの構成機器のうち自動車内に搭載される機器のハードウェア構成図。
【図３】前記実施形態の車載システムの自動車内に搭載される機器の外観を示す斜視図。
【図４】前記実施形態の車載システムでナビゲーションサービスを行う際の処理やデータの流れを示す説明図。
【図５】前記実施形態の車載システムでコンテンツ呈示サービスを行う際の処理やデータの流れを示す説明図。
【図６】前記実施形態の車載システムで有料道路等の自動料金収受サービスを行う際の処理やデータの流れを示す説明図。
【図７】本発明の第１の変形の形態の車載システムでコンテンツ呈示サービスを行う際の処理やデータの流れを示す説明図。
【図８】本発明の第２の変形の形態の車載システムでコンテンツ呈示サービスを行う際の処理やデータの流れを示す説明図。
【図９】本発明の第３の変形の形態の車載システムでコンテンツ呈示サービスを行う際の処理やデータの流れを示す説明図。
【図１０】本発明の第４の変形の形態の車載システムでコンテンツ呈示サービスを行う際の処理やデータの流れを示す説明図。
【図１１】本発明の第５の変形の形態の車載システムで有料道路等の自動料金収受サービスを行う際の処理やデータの流れを示す説明図。
【符号の説明】
【０１９２】
１０  移動体搭乗者向けサービス提供システムである車載システム
２０，２２０，３２０，４２０，５２０，６２０  携帯電話機
３０  非接触ＩＣモジュール
３１  非接触ＩＣモジュールのアンテナ
３４  非接触ＩＣモジュールのメモリ
３５  現在位置情報記憶手段
３６Ａ，２３０  電子マネー情報記憶手段
３６Ｂ，５３０  選択コンテンツ情報記憶手段
３６Ｃ  判断結果記憶手段
４１  ナビゲーション処理手段
４２Ｂ，２７２  利用可否判断手段
４２Ｃ，２７３  課金処理手段
５６  携帯電話機保持手段
６０  リーダ／ライタ
６１  リーダ／ライタのアンテナ
７１  現在位置情報供給手段
７２Ａ，５７１  選択コンテンツ情報送信手段
７２Ｂ  判断結果伝達手段
８０  現在位置情報取得手段
８１  現在位置情報取得手段を構成するＧＰＳチューナ
８２  現在位置情報取得手段を構成するＧＰＳアンテナ
１２１  選択入力受付手段
１２２  コンテンツ呈示手段
１２３，３８１，４８１，５８１  コンテンツ記憶手段
２７１  電子マネー情報取得手段
３３０，４３０  解除キー記憶手段
３７１，５７２  解除キー取得手段
４７１，５４２  解除キー検索手段
５３１  利用解除キー記憶手段
５４６  購入解除キー記憶手段
６７３  料金収受処理手段
【図１】
2006275552.tif 000003
【図２】
2006275552.tif 000004
【図３】
2006275552.tif 000005
【図４】
2006275552.tif 000006
【図５】
2006275552.tif 000007
【図６】
2006275552.tif 000008
【図７】
2006275552.tif 000009
【図８】
2006275552.tif 000010
【図９】
2006275552.tif 000011
【図１０】
2006275552.tif 000012
【図１１】
2006275552.tif 000013